(57)【特許請求の範囲】
【請求項１】
モデム間調整のための方法であって、
第１のモデムによって提供される第１のエアインターフェースを使用する第１のネットワークカバレージエリア内のネットワークへの第１のデータ接続を確立することと、
第２のモデムによって提供される第２のエアインターフェースで第２のネットワークカバレージエリアを検出することと、
前記第２のモデムが前記第１のモデムによって提供される前記確立された第１のデータ接続よりも良好なデータサービスを提供することを検出すると、それぞれ、前記第２のモデムおよび前記第１のモデムのデータ呼状態を判定するために、前記第１のモデムによって第１のタイマーを、および第２のモデムによって第２のタイマーとを同時に開始することと、
前記第１のタイマーおよび前記第２のタイマーが終了しておらず、前記第２のモデムの前記データ呼状態がデータ呼なしであることを検出すると、前記ネットワークへの前記第１のデータ接続を終了することと、
前記第１のモデムの前記データ呼状態がデータ呼なしであること、または前記第１および第２のタイマーの一方あるいは両方が終了したことを検出すると、前記第２のモデムによって提供される前記第２のエアインターフェースを使用する前記ネットワークへの第２のデータ接続を開始することと
を備える方法。
【請求項２】
前記第１のタイマーが終了すると、前記第１のモデムの前記データ呼状態がデータ呼なしに変更される、
請求項１に記載の方法。
【請求項３】
前記データ呼状態は、データ呼なし、データ呼確立中、データ呼確立済みまたはデータ呼切断中である、
請求項１に記載の方法。
【請求項４】
前記第２のモデムの前記データ呼状態を前記第１のモデムにシグナリングするためにモデム間通信を前記第２のモデムから受信することをさらに備える、
請求項１に記載の方法。
【請求項５】
前記第１のモデムの前記データ呼状態を前記第２のモデムにシグナリングするためにモデム間通信を前記第１のモデムから受信することをさらに備える、
請求項１に記載の方法。
【請求項６】
前記方法は、前記第１のモデムと前記第２のモデムとを備えるユーザ機器によって実施される、
請求項１に記載の方法。
【請求項７】
モデム間調整のために構成されたワイヤレスデバイスであって、
プロセッサと、
前記プロセッサと電子通信するメモリと、
前記メモリに記憶された命令と
を備え、前記命令は、前記プロセッサによって、
第１のモデムによって提供される第１のエアインターフェースを使用する第１のネットワークカバレージエリア内のネットワークへの第１のデータ接続を確立することと、
第２のモデムによって提供される第２のエアインターフェースで第２のネットワークカバレージエリアを検出することと、
前記第２のモデムが、前記第１のモデムによって提供される前記確立された第１のデータ接続よりも良好なデータサービスを提供することを検出すると、それぞれ、前記第２のモデムおよび前記第１のモデムのデータ呼状態を判定するために、前記第１のモデムによって第１のタイマーを、および第２のモデムによって第２のタイマーとを同時に開始することと、
前記第１のタイマーおよび前記第２のタイマーが終了しておらず、前記第２のモデムの前記データ呼状態がデータ呼なしであることを検出すると、前記第１のモデムによる、前記ネットワークへの前記第１のデータ接続を終了することと、
前記第１のモデムの前記データ呼状態がデータ呼なしであること、または前記第１および第２のタイマーの一方あるいは両方が終了したことを検出すると、前記第２のモデムによって提供される前記第２のエアインターフェースを使用する前記ネットワークへの第２のデータ接続を開始することと
を実行可能である、ワイヤレスデバイス。
【請求項８】
前記データ呼状態は、データ呼なし、データ呼確立中、データ呼確立済みおよびデータ呼切断中のうちの１つである、
請求項７に記載のワイヤレスデバイス。
【請求項９】
前記プロセッサは、前記第２のモデムの前記データ呼状態を前記第１のモデムにシグナリングするためにモデム間通信を前記第２のモデムから受信するようにさらに構成される、
請求項７に記載のワイヤレスデバイス。
【請求項１０】
前記プロセッサは、前記第１のモデムの前記データ呼状態を前記第２のモデムにシグナリングするためにモデム間通信を前記第１のモデムから受信するようにさらに構成される、
請求項７に記載のワイヤレスデバイス。
【請求項１１】
モデム間調整のために構成されたワイヤレスデバイスであって、
第１のモデムによって提供される第１のエアインターフェースを使用する第１のネットワークカバレージエリア内のネットワークへの第１のデータ接続を確立するための手段と、
第２のモデムによって提供される第２のエアインターフェースで第２のネットワークカバレージエリアを検出するための手段と、
前記第２のモデムが、前記第１のモデムによって提供される前記確立された第１のデータ接続よりも良好なデータサービスを提供することを検出すると、それぞれ、前記第２のモデムおよび前記第１のモデムのデータ呼状態を判定するために、前記第１のモデムによって第１のタイマーを、および第２のモデムによって第２のタイマーとを同時に開始するための手段と、
前記第１のタイマーおよび前記第２のタイマーが終了しておらず、前記第２のモデムの前記データ呼状態がデータ呼なしであることを検出すると、前記第１のモデムによる、前記ネットワークへの前記第１のデータ接続を終了するための手段と、
前記第１のモデムの前記データ呼状態がデータ呼なしである、または前記第１および第２のタイマーの一方あるいは両方が終了したことを検出すると、前記第２のモデムによって提供される前記第２のエアインターフェースを使用する前記ネットワークへの第２のデータ接続を開始するための手段と
を備える、ワイヤレスデバイス。
【請求項１２】
モデム間調整のためのコンピュータプログラムであって、
ワイヤレスデバイスに、第１のモデムによって提供される第１のエアインターフェースを使用する第１のネットワークカバレージエリア内のネットワークへの第１のデータ接続を確立させるためのコードと、
前記ワイヤレスデバイスに、第２のモデムによって提供される第２のエアインターフェースで第２のネットワークカバレージエリアを検出させるためのコードと、
前記ワイヤレスデバイスに、前記第２のモデムが、前記第１のモデムによって提供される前記確立された第１のデータ接続よりも良好なデータサービスを提供することを検出すると、それぞれ、前記第２のモデムおよび前記第１のモデムのデータ呼状態を判定するために、前記第１のモデムによって第１のタイマーを、および第２のモデムによって第２のタイマーを同時に開始させるためのコードと、
前記ワイヤレスデバイスに、前記第１のタイマーおよび前記第２のタイマーが終了しておらず、前記第２のモデムの前記データ呼状態がデータ呼なしであることを検出すると、前記第１のモデムによる前記ネットワークへの前記第１のデータ接続を終了させるためのコードと、
前記ワイヤレスデバイスに、前記第１のモデムの前記データ呼状態がデータ呼なしであること、または前記第１および第２のタイマーの一方あるいは両方が終了したことを検出すると、前記第２のモデムによって提供される前記第２のエアインターフェースを使用する前記ネットワークへの第２のデータ接続を開始させるためのコードと
を備える、コンピュータプログラム。
【発明の詳細な説明】
【関連出願】
【０００１】
本出願は、「ＭＥＴＨＯＤ  ＡＮＤ  ＡＰＰＡＲＡＴＵＳ  ＦＯＲ  ＣＯＯＲＤＩＮＡＴＩＮＧ  ＤＡＴＡ  ＣＡＬＬＳ  ＯＮ  Ａ  ＭＯＢＩＬＥ  ＤＥＶＩＣＥ  ＷＩＴＨ  ＭＵＬＴＩＰＬＥ  ＭＯＤＥＭＳ」と題する、２０１０年７月３０日に出願された米国仮特許出願第６１／３６９，５７８号に関し、その優先権を主張する。
【技術分野】
【０００２】
本開示は概して、ワイヤレス通信システムに関する。より詳細には、本開示は、複数のモデムを有するモバイルデバイス上でデータ呼を調整するためのシステムおよび方法に関する。
【背景技術】
【０００３】
ワイヤレス通信システムは、音声、ビデオ、データ、その他など、様々なタイプの通信コンテンツを提供するために、幅広く配置されている。これらのシステムは、１つまたは複数の基地局との、複数のモバイルデバイスの同時通信をサポート可能な、多元接続システムであり得る。
【０００４】
典型的なモバイルデバイスは、１つのモデムを利用して、モバイルデバイスによってサポートされるエアインターフェース技術を扱うことができる。ただし、使用可能なエアインターフェース技術の数が増えるのに従い、モバイルデバイスが、２つ以上のエアインターフェース技術をサポートすることになる可能性も増す。モバイルデバイスは、２つのモデムを利用して、複数のエアインターフェースを扱うことができる。２つのモデムを有するモバイルデバイスに対する改良によって、恩恵が実現され得る。
【発明の概要】
【０００５】
モデム間調整のための方法について記載する。第１のモデムによって提供される第１のエアインターフェースを使用する第１のネットワークカバレージエリア内のネットワークへの第１のデータ接続が確立される。第２のモデムによって提供される第２のエアインターフェースで第２のネットワークカバレージエリアが検出される。第２のモデムのデータ呼状態が判定される。第２のモデムのデータ呼状態がデータ呼なしであるとき、ネットワークへの第１のデータ接続が、第１のモデムによって終了される。第１のモデムのデータ呼状態が、第２のモデムによって判定される。第１のモデムのデータ呼状態がデータ呼なしであるとき、第２のモデムによって提供される第２のエアインターフェースを使用するネットワークへの第２のデータ接続が開始される。
【０００６】
第１のモデムによって、タイマーが始動され得る。タイマーが終了すると、第１のモデムのデータ呼状態は、データ呼なしに変更され得る。第２のモデムによって、タイマーが始動され得る。タイマーが終了すると、ネットワークへの第２のデータ接続が開始され得る。データ呼状態は、データ呼なし、データ呼確立中、データ呼確立済みまたはデータ呼切断中であり得る。
【０００７】
第１のモデムによって第２のモデムのデータ呼状態を判定することは、第２のモデムのデータ呼状態を第１のモデムにシグナリングするために第２のモデムからのモデム間通信を受信することを含み得る。第２のモデムによって第１のモデムのデータ呼状態を判定することは、第１のモデムのデータ呼状態を第２のモデムにシグナリングするために第１のモデムからのモデム間通信を受信することを含み得る。ネットワークへの第２のデータ接続は、第１のデータ接続よりも良好なデータサービスを提供し得る。この方法は、第１のモデムと第２のモデムとを含むユーザ機器によって実施され得る。
【０００８】
モデム間調整のための方法についても記載する。第１のモデムを使用する第１のエアインターフェース上で、テザー端末とネットワークとの間のデータ接続が確立される。ネットワークからのメッセージの通知が、第２のモデムを使用する第２のエアインターフェース上で受信される。第１のモデムのデータ呼状態が、第２のモデムによって判定される。第１のモデムのデータ呼状態が、データ呼立ち上げ中、データ呼確立済みおよびデータ呼切断中のうちの１つであるとき、メッセージは、第２のモデムを使用するテザー端末向けの第２のエアインターフェースを介して受信される。
【０００９】
第１のモデムのデータ呼状態がデータ呼なしではないとき、第１のモデムの呼タイプが、第２のモデムによって判定され得る。第２のエアインターフェースを介したメッセージは、呼タイプがテザードであるとき、拒否され得る。呼タイプが埋込みであるとき、メッセージは、第２のモデムを使用する第２のエアインターフェースを介して受信され得る。第２のモデムを使用する第２のエアインターフェースを介してメッセージを受信することは、Ｒｍリンク上でテザーデバイスとのテザード回線交換データ呼を確立することを含み得る。
【００１０】
データ呼状態は、データ呼なし、データ呼確立中、データ呼確立済みおよびデータ呼切断中のうちの１つであり得る。メッセージは、ページングメッセージであり得る。この方法は、第１のモデムと第２のモデムとを含むユーザ機器によって実施され得る。
【００１１】
呼スロットリング中のモデム間調整のための方法について記載する。第１のモデムを使用する第１のエアインターフェース上でデータ呼を確立するためにアプリケーションからの要求が受信される。第２のモデムの呼スロットル状態が、第１のモデムによって判定される。データ呼は、第２のモデムがスロットルでないとき、第１のモデムを使用する第１のエアインターフェースを介して確立される。
【００１２】
第２のモデムは、スロットルであり得る。第２のモデムの呼スロットル状態が無線不具合に起因するかどうかが、判定され得る。第２のモデムの呼スロットル状態が無線不具合に起因するとき、データ呼は、第１のモデムを使用する第１のエアインターフェースを介して確立され得る。第２のモデムの呼スロットル状態が無線不具合に起因しないと判定され得る。第２のモデムの呼スロットル状態、試行カウンタおよびスロットリングタイマーが、第１のモデム上で使用され得る。データ呼を確立するための要求は、拒否され得る。この方法は、第１のモデムと第２のモデムとを含むユーザ機器によって実施され得る。
【００１３】
モデム間調整のために構成されたワイヤレスデバイスについても記載する。ワイヤレスデバイスは、プロセッサと、プロセッサと電子通信しているメモリと、メモリに記憶された命令とを含む。命令は、プロセッサによって、第１のモデムによって提供される第１のエアインターフェースを使用する第１のネットワークカバレージエリア内のネットワークへの第１のデータ接続を確立するように実行可能である。命令は、第２のモデムによって提供される第２のエアインターフェースで第２のネットワークカバレージエリアを検出するようにも実行可能である。命令は、第１のモデムによって第２のモデムのデータ呼状態を判定するようにさらに実行可能である。命令は、第２のモデムのデータ呼状態がデータ呼なしであるとき、第１のモデムによるネットワークへの第１のデータ接続を終了するようにも実行可能である。命令は、第２のモデムによって第１のモデムのデータ呼状態を判定するようにさらに実行可能である。命令は、第１のモデムのデータ呼状態がデータ呼なしであるとき、第２のモデムによって提供される第２のエアインターフェースを使用するネットワークへの第２のデータ接続を開始するようにも実行可能である。
【００１４】
モデム間調整のために構成されたワイヤレスデバイスについて記載する。ワイヤレスデバイスは、プロセッサと、プロセッサと電子通信しているメモリと、メモリに記憶された命令とを含む。命令は、プロセッサによって、第１のモデムを使用する第１のエアインターフェース上で、テザー端末とネットワークとの間のデータ接続を確立するように実行可能である。命令は、プロセッサによって、第２のモデムを使用する第２のエアインターフェース上で、ネットワークからのメッセージの通知を受信するようにも実行可能である。命令は、第２のモデムによって第１のモデムのデータ呼状態を判定するように、プロセッサによってさらに実行可能である。命令は、プロセッサによって、第１のモデムのデータ呼状態がデータ呼なしであるとき、第２のモデムを使用するテザー端末向けの、第２のエアインターフェースを介したメッセージを受信するようにも実行可能である。
【００１５】
呼スロットリング中のモデム間調整のために構成されたワイヤレスデバイスについて記載する。ワイヤレスデバイスは、プロセッサと、プロセッサと電子通信しているメモリと、メモリに記憶された命令とを含む。命令は、プロセッサによって、第１のモデムを使用する第１のエアインターフェース上でデータ呼を確立するためにアプリケーションからの要求を受信するように実行可能である。命令は、プロセッサによって、第２のモデムの呼スロットル状態を第１のモデムによって判定するようにも実行可能である。命令は、プロセッサによって、第２のモデムの呼スロットル状態がスロットルでないとき、第１のモデムを使用する第１のエアインターフェースを介したデータ呼を確立するようにさらに実行可能である。
【００１６】
モデム間調整のために構成されたワイヤレスデバイスについても記載する。ワイヤレスデバイスは、第１のモデムによって提供される第１のエアインターフェースを使用する第１のネットワークカバレージエリア内のネットワークへの第１のデータ接続を確立するための手段を含む。ワイヤレスデバイスは、第２のモデムによって提供される第２のエアインターフェースで第２のネットワークカバレージエリアを検出するための手段も含む。ワイヤレスデバイスは、第１のモデムによって第２のモデムのデータ呼状態を判定するための手段をさらに含む。ワイヤレスデバイスは、第２のモデムのデータ呼状態がデータ呼なしであるとき、第１のモデムによる、ネットワークへの第１のデータ接続を終了するための手段も含む。ワイヤレスデバイスは、第２のモデムによって第１のモデムのデータ呼状態を判定するための手段をさらに含む。ワイヤレスデバイスは、第１のモデムのデータ呼状態がデータ呼なしであるとき、第２のモデムによって提供される第２のエアインターフェースを使用するネットワークへの第２のデータ接続を開始するための手段も含む。
【００１７】
モデム間調整のためのコンピュータプログラム製品について記載する。本コンピュータプログラム製品は、その上に命令で非一時的コンピュータ可読媒体を含む。命令は、ワイヤレスデバイスに、第１のモデムによって提供される第１のエアインターフェースを使用する第１のネットワークカバレージエリア内のネットワークへの第１のデータ接続を確立させるためのコードを含む。命令は、ワイヤレスデバイスに、第２のモデムによって提供される第２のエアインターフェースで第２のネットワークカバレージエリアを検出させるためのコードも含む。命令は、ワイヤレスデバイスに、第１のモデムによって第２のモデムのデータ呼状態を判定させるためのコードをさらに含む。命令は、ワイヤレスデバイスに、第２のモデムのデータ呼状態がデータ呼なしであるとき、第１のモデムによるネットワークへの第１のデータ接続を終了させるためのコードも含む。命令は、ワイヤレスデバイスに、第２のモデムによって第１のモデムのデータ呼状態を判定させるためのコードをさらに含む。命令は、ワイヤレスデバイスに、第１のモデムのデータ呼状態がデータ呼なしであるとき、第２のモデムによって提供される第２のエアインターフェースを使用するネットワークへの第２のデータ接続を開始させるためのコードも含む。
【００１８】
モデム間調整のために構成されたワイヤレスデバイスについても記載する。ワイヤレスデバイスは、第１のモデムを使用する第１のエアインターフェース上で、テザー端末とネットワークとの間のデータ接続を確立するための手段を含む。ワイヤレスデバイスは、第２のモデムを使用する第２のエアインターフェース上で、ネットワークからのメッセージの通知を受信するための手段も含む。ワイヤレスデバイスは、第２のモデムによって第１のモデムのデータ呼状態を判定するための手段をさらに含む。ワイヤレスデバイスは、第１のモデムのデータ呼状態がデータ呼なしであるとき、第２のモデムを使用するテザー端末向けの、第２のエアインターフェースを介したメッセージを受信するための手段も含む。
【００１９】
モデム間調整のためのコンピュータプログラム製品について記載する。本コンピュータプログラム製品は、その上に命令を有する非一時的コンピュータ可読媒体を含む。命令は、ワイヤレスデバイスに、第１のモデムを使用する第１のエアインターフェース上で、テザー端末とネットワークとの間のデータ接続を確立させるためのコードを含む。命令は、ワイヤレスデバイスに、第２のモデムを使用する第２のエアインターフェース上で、ネットワークからのメッセージの通知を受信させるためのコードも含む。命令は、ワイヤレスデバイスに、第２のモデムによって第１のモデムのデータ呼状態を判定させるためのコードをさらに含む。命令は、ワイヤレスデバイスに、第１のモデムのデータ呼状態がデータ呼なしであるとき、第２のモデムを使用する第２のエアインターフェースを介してメッセージを受信させるためのコードも含む。
【００２０】
呼スロットリング中のモデム間調整のために構成されたワイヤレスデバイスについても記載する。ワイヤレスデバイスは、第１のモデムを使用する第１のエアインターフェース上でデータ呼を確立するためにアプリケーションからの要求を受信するための手段を含む。ワイヤレスデバイスは、第１のモデムによって第２のモデムの呼スロットル状態を判定するための手段も含む。ワイヤレスデバイスは、第２のモデムの呼スロットル状態がスロットルでないとき、第１のモデムを使用する第１のエアインターフェースを介したデータ呼を確立するための手段をさらに含む。
【００２１】
呼スロットリング中のモデム間調整のためのコンピュータプログラム製品について記載する。本コンピュータプログラム製品は、その上に命令を有する非一時的コンピュータ可読媒体を含む。命令は、ワイヤレスデバイスに、第１のモデムを使用する第１のエアインターフェース上でデータ呼を確立するためにアプリケーションからの要求を受信させるためのコードを含む。命令は、ワイヤレスデバイスに、第１のモデムによって第２のモデムの呼スロットル状態を判定させるためのコードも含む。命令は、ワイヤレスデバイスに、第２のモデムの呼スロットル状態がスロットルでないとき、第１のモデムを使用する第１のエアインターフェースを介したデータ呼を確立させるためのコードをさらに含む。
【図面の簡単な説明】
【００２２】
【図１】複数のワイヤレスデバイスをもつワイヤレス通信システムを示す図。
【図２】ユーザ機器（ＵＥ）と、ユーザ機器（ＵＥ）がデータサービスおよび／またはボイスサービスのために利用し得るコアネットワークとの間の様々なタイプの接続性を示すブロック図。
【図３】複数のモデムを有するユーザ機器（ＵＥ）を示すブロック図。
【図４】複数のモデムを有する別のユーザ機器（ＵＥ）を示すブロック図。
【図５Ａ】ユーザ機器（ＵＥ）が１ｘ専用カバレージエリアからエボリューションデータ最適化（ＥＶＤＯ）および１ｘカバレージエリアに移動するときのシナリオを示す図。
【図５Ｂ】ユーザ機器（ＵＥ）が１ｘ専用カバレージエリアからエボリューションデータ最適化（ＥＶＤＯ）カバレージエリアに移動するシナリオを示す図。
【図５Ｃ】ユーザ機器（ＵＥ）がエボリューションデータ最適化（ＥＶＤＯ）専用カバレージエリアから１ｘ専用カバレージエリアに移動するシナリオを示す図。
【図５Ｄ】ユーザ機器（ＵＥ）がエボリューションデータ最適化（ＥＶＤＯ）専用カバレージエリアからエボリューションデータ最適化（ＥＶＤＯ）および１ｘカバレージエリアに移動するシナリオを示す図。
【図５Ｅ】ユーザ機器（ＵＥ）が１ｘおよびエボリューションデータ最適化（ＥＶＤＯ）接続性カバレージエリアから、１ｘ専用データ接続性を有するカバレージエリアに移動するシナリオを示す図。
【図５Ｆ】ユーザ機器（ＵＥ）が１ｘとエボリューションデータ最適化（ＥＶＤＯ）接続性の両方を有するカバレージエリアから、エボリューションデータ最適化（ＥＶＤＯ）接続性のみを有するカバレージエリアに移動するシナリオを示す図。
【図６】第１のモデムと第２のモデムとの間の、イベントベースのモデム間通信を示すブロック図。
【図７】第１のモデムと第２のモデムとの間の、問合せおよび応答モデム間通信を示すブロック図。
【図８】ユーザ機器（ＵＥ）上の２つのモデムからの非同期メッセージを伴うあるシナリオを示す呼フロー図。
【図９】ユーザ機器（ＵＥ）上の２つのモデムからの非同期メッセージを伴う別のシナリオを示す呼フロー図。
【図１０】モデム間調整のための方法のフロー図。
【図１１】ユーザ機器（ＵＥ）上の２つのモデムからの同期メッセージを伴うシナリオを示す呼フロー図。
【図１２】モデム間調整のための別の方法のフロー図。
【図１３】時間調整されていない、ユーザ機器（ＵＥ）上の２つのモデムからの通信を伴うシナリオを示す呼フロー図。
【図１４】テザー端末を有するワイヤレス通信システムを示すブロック図。
【図１５】テザー端末とインターネットとの間のデータ接続が確立されているときのモデム間通信のための方法のフロー図。
【図１６】呼スロットリングが使われるときのモデム間通信のためのシナリオを示す呼フロー図。
【図１７】呼スロットリングが使われるときのモデム間通信のための方法のフロー図。
【図１８】ワイヤレス通信デバイス内に含まれ得るいくつかの構成要素を示す図。
【発明を実施するための形態】
【００２３】
３ｒｄ  Ｇｅｎｅｒａｔｉｏｎ  Ｐａｒｔｎｅｒｓｈｉｐ  Ｐｒｏｊｅｃｔ（３ＧＰＰ）は、グローバルに適用可能な第３世代（３Ｇ）モバイルフォン仕様を定義することを目的とする電気通信協会のグループ間のコラボレーションである。３ＧＰＰ  Ｌｏｎｇ  Ｔｅｒｍ  Ｅｖｏｌｕｔｉｏｎ（ＬＴＥ）は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  Ｌｏｎｇ  Ｔｅｒｍ  Ｅｖｏｌｕｔｉｏｎ（ＬＴＥ）では、移動局またはデバイスは、「ユーザ機器」（ＵＥ）と呼ばれることがある。
【００２４】
図１に、複数のワイヤレスデバイスをもつワイヤレス通信システム１００を示す。ワイヤレス通信システム１００は、ボイス、データなど、様々なタイプの通信コンテンツを提供するために広く展開されている。ワイヤレスデバイスは基地局１０２またはユーザ機器（ＵＥ）１０４とすることができる。
【００２５】
基地局１０２は、１つまたは複数のユーザ機器（ＵＥ）１０４と通信する局である。基地局１０２は、アクセスポイント、ブロードキャスト送信機、ノードＢ、発展型ノードＢなどとも呼ばれることがあり、それらの機能の一部または全部を含み得る。本明細書では、「基地局」という用語を使用する。各基地局１０２は、特定の地理的エリアに通信カバレージを与える。基地局１０２は、１つまたは複数のユーザ機器（ＵＥ）１０４に通信カバレージを与え得る。「セル」という用語は、その用語が使用されるコンテキストに応じて基地局１０２および／またはそのカバレージエリアを指すことができる。
【００２６】
ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。ＭＩＭＯシステムは、それぞれ、データ伝送のための複数（ＮT）個の送信アンテナと複数（ＮR）個の受信アンテナとを装備した、（１つまたは複数の）送信機と（１つまたは複数の）受信機とを含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００２７】
ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク送信とダウンリンク送信とが同じ周波数領域内で行われるので、相反原理によりアップリンクチャネルからのダウンリンクチャネルの推定が可能である。これにより、送信ワイヤレスデバイスは、その送信ワイヤレスデバイスが受信した通信から送信ビームフォーミング利得を抽出することが可能になる。
【００２８】
ワイヤレス通信システム１００は、利用可能なシステムリソース（たとえば、帯域幅および送信電力）を共有することによって複数のユーザ機器（ＵＥ）１０４との通信をサポートすることが可能な多元接続システムであり得る。そのような多元接続システムの例には、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、３ｒｄ  Ｇｅｎｅｒａｔｉｏｎ  Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）システム、および空間分割多元接続（ＳＤＭＡ）システムがある。
【００２９】
「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗ−ＣＤＭＡと低チップレート（ＬＣＲ）とを含み、ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬｏｎｇ  Ｔｅｒｍ  Ｅｖｏｌｕｔｉｏｎ（ＬＴＥ）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「第３世代パートナーシッププロジェクト２」（３ＧＰＰ２）と名付けられた組織からの文書に記載されている。明快のために、本技法のいくつかの態様について以下ではＬｏｎｇ  Ｔｅｒｍ  Ｅｖｏｌｕｔｉｏｎ（ＬＴＥ）に関して説明し、以下の説明の大部分でＬｏｎｇ  Ｔｅｒｍ  Ｅｖｏｌｕｔｉｏｎ（ＬＴＥ）用語を使用する。
【００３０】
ユーザ機器（ＵＥ）１０４は、端末、アクセス端末、ワイヤレス通信デバイス、加入者ユニット、局などとも呼ばれることがあり、それらの機能の一部または全部を含み得る。ユーザ機器（ＵＥ）１０４は、セルラー電話、携帯情報端末（ＰＤＡ）、ワイヤレスデバイス、ワイヤレスモデム、ハンドヘルドデバイス、ラップトップコンピュータなどであり得る。
【００３１】
ユーザ機器（ＵＥ）１０４は、所与の瞬間において、ダウンリンクおよび／またはアップリンク上のゼロ、１つ、または複数の基地局１０２ａ〜ｂと通信し得る。ダウンリンク（または順方向リンク）は、基地局１０２からユーザ機器（ＵＥ）１０４への通信リンクを指し、アップリンク（または逆方向リンク）は、ユーザ機器（ＵＥ）１０４から基地局１０２への通信リンクを指す。図１のユーザ機器（ＵＥ）１０４は、一般的なユーザ機器（ＵＥ）１０４であり、したがって、本明細書における、ユーザ機器（ＵＥ）へのあらゆる言及は概して、図１のユーザ機器（ＵＥ）１０４を指し、より具体的には、全体を通して、ユーザ機器（ＵＥ）の他の使用も指し得る。
【００３２】
ユーザ機器（ＵＥ）１０４は、第１のエアインターフェース１０６ａを介して第１の基地局１０２ａと、および第２のエアインターフェース１０６ｂを介して第２の基地局１０２ｂと通信可能であり得る。ユーザ機器（ＵＥ）１０４は、各エアインターフェース１０６用に１つまたは複数のアンテナ（図示せず）を使うことができる。１つの構成では、ユーザ機器（ＵＥ）１０４は、第１のエアインターフェース１０６ａと第２のエアインターフェース１０６ｂの両方用に単一アンテナを使うことができる。ユーザ機器（ＵＥ）１０４は、第１のエアインターフェース１０６ａを介して第１の基地局１０２ａと通信するための第１のモデム１０５ａと、第２のエアインターフェース１０６ｂを介して第２の基地局１０２ｂと通信するための第２のモデム１０５ｂとを使うことができる。エアインターフェース１０６の例には、ＩＳ９５エアリンク、１ｘエアリンク、エボリューションデータ最適化（ＥＶＤＯ）エアリンク、発展型高速パケットデータ（ＥＨＲＰＤ）エアリンク、およびＬｏｎｇ  Ｔｅｒｍ  Ｅｖｏｌｕｔｉｏｎ（ＬＴＥ）エアリンクがある。エアリンクとは、あるタイプのエアインターフェース１０６である。第１のモデム１０５ａおよび第２のモデム１０５ｂは、モデム通信リンク１０３を使って互いに通信することができる。
【００３３】
図２は、ユーザ機器（ＵＥ）２０４と、ユーザ機器（ＵＥ）２０４がデータサービスおよび／またはボイスサービスのために利用し得るコアネットワーク２９９との間の様々なタイプの接続性を示すブロック図である。複数のエアインターフェース（またはエアリンク）は、暫定標準９５（ＩＳ９５）基地局２２０、ＣＤＭＡ  ２０００  １ｘ（本明細書では「１ｘ」と呼ばれるが、ＩＳ−２０００もしくは１ｘＲＴＴとも呼ばれ得る）基地局２２１および／またはエボリューションデータ最適化（ＥＶＤＯ）無線アクセスネットワーク（ＲＡＮ）２２２を介して、インターネット２３０への、ユーザ機器（ＵＥ）２０４向けのデータ接続を提供し得る。ＩＳ９５基地局２２０は、ユーザ機器（ＵＥ）２０４にＩＳ９５エアリンク２１５を提供し得る。ＩＳ９５基地局２２０は、ネット間接続機能（ＩＷＦ）２２９を介してインターネット２３０に接続され得る。１ｘ基地局２２１は、ユーザ機器（ＵＥ）２０４に１ｘエアリンク２１６を提供し得る。エボリューションデータ最適化（ＥＶＤＯ）無線アクセスネットワーク（ＲＡＮ）２２２は、ユーザ機器（ＵＥ）２０４にエボリューションデータ最適化（ＥＶＤＯ）エアリンク２１７を提供し得る。１ｘ基地局２２１およびエボリューションデータ最適化（ＥＶＤＯ）無線アクセスネットワーク（ＲＡＮ）２２２は、Ａ１０インターフェース２２５ａ〜ｂを介して、パケットデータサービスノード（ＰＤＳＮ）２３２に接続することができ、ＰＤＳＮ２３２は、インターネット２３０に接続される。パケットデータサービスノード（ＰＤＳＮ）２３２は、外部エージェント（ＦＡ）を含み得る。ホームエージェント（ＨＡ）２３１は、インターネット２３０に接続され得る。
【００３４】
ネットワークアーキテクチャは、発展型高速パケットデータ（ＥＨＲＰＤ）エアリンク２１８と発展型高速パケットデータ（ＥＨＲＰＤ）無線アクセスネットワーク（ＲＡＮ）２２３とを介したコアネットワーク２９９へのデータ接続性を含み得る。発展型高速パケットデータ（ＥＨＲＰＤ）無線アクセスネットワーク（ＲＡＮ）２２３は、ＨＲＰＤサービングゲートウェイ（ＨＳＧＷ）２３３に接続するためにＡ１０インターフェース２２７を採用し得る。ネットワークアーキテクチャはまた、Ｌｏｎｇ  Ｔｅｒｍ  Ｅｖｏｌｕｔｉｏｎ（ＬＴＥ）エアリンク２１９とＬｏｎｇ  Ｔｅｒｍ  Ｅｖｏｌｕｔｉｏｎ（ＬＴＥ）ｅノードＢ２２４とを介したデータ接続性を含み得る。Ｌｏｎｇ  Ｔｅｒｍ  Ｅｖｏｌｕｔｉｏｎ（ＬＴＥ）ｅノードＢ２２４は、サービングゲートウェイ（ＳＧＷ）２３４に接続するためにＳ１−Ｕインターフェース２２８を採用し得る。ＨＲＰＤサービングゲートウェイ（ＨＳＧＷ）２３３は、Ｓ２Ａインターフェース２３５ａ〜ｃを介して、第１のパケットデータネットワークゲートウェイ（ＰＤＮ−ＧＷ）２３７ａ、第２のパケットデータネットワークゲートウェイ（ＰＤＮ−ＧＷ）２３７ｂおよび第３のパケットデータネットワークゲートウェイ（ＰＤＮ−ＧＷ）２３７ｃに接続し得る。サービングゲートウェイ（ＳＧＷ）２３４は、Ｓ５インターフェース２３６ａ〜ｃを介して、第１のパケットデータネットワークゲートウェイ（ＰＤＮ−ＧＷ）２３７ａ、第２のパケットデータネットワークゲートウェイ（ＰＤＮ−ＧＷ）２３７ｂおよび第３のパケットデータネットワークゲートウェイ（ＰＤＮ−ＧＷ）２３７ｃと接続し得る。第１のパケットデータネットワークゲートウェイ（ＰＤＮ−ＧＷ）２３７ａは第１のアプリケーションネットワーク（ＡＰＮ）２３８ａに接続し得る。第２のパケットデータネットワークゲートウェイ（ＰＤＮ−ＧＷ）２３７ｂは第２のアプリケーションネットワーク（ＡＰＮ）２３８ｂに接続し得る。第３のパケットデータネットワークゲートウェイ（ＰＤＮ−ＧＷ）２３７ｃは第３のアプリケーションネットワーク（ＡＰＮ）２３８ｃに接続し得る。アプリケーションネットワーク（ＡＰＮ）２３８は、限定はしないが、ボイスオーバＩＰ（ＶｏＩＰ）またはビデオ電話サービスを取得するためにユーザ機器（ＵＥ）２０４が接続するインターネットマルチメディアシステム（ＩＭＳ）、またはユーザ機器（ＵＥ）２０４のための構成情報をダウンロードするためにユーザ機器（ＵＥ）２０４が接続を確立し得る管理アプリケーションネットワーク（ＡＰＮ）を含み得る。
【００３５】
ユーザ機器（ＵＥ）２０４はネットワーク中を移動し得る。ユーザ機器（ＵＥ）２０４がネットワーク中を移動するとき、ユーザ機器（ＵＥ）２０４は、あるエアインターフェース技術によって与えられるカバレージをもつエリアから、別のエアインターフェース技術によって与えられるカバレージをもつエリアに、または重複するエアインターフェース技術をもつカバレージエリアに移動し得る。２つのエアインターフェース技術は、ユーザ機器（ＵＥ）２０４上の別個のモデム２０５によって提供され得る。さらに、共通コアネットワーク２９９が、複数のエアインターフェース技術をサポートし得る。１つの構成では、第１のモデム２０５ａが、１ｘエアインターフェース１０６をサポートすることができ、第２のモデム２０５ｂが、エボリューションデータ最適化（ＥＶＤＯ）エアインターフェース１０６をサポートすることができる。両方のエアインターフェース技術は、共通コアネットワーク２９９を共有することができる。別の構成では、第１のモデム２０５ａが、発展型高速パケットデータ（ＥＨＲＰＤ）エアインターフェース技術をサポートすることができ、第２のモデム２０５ｂは、Ｌｏｎｇ  Ｔｅｒｍ  Ｅｖｏｌｕｔｉｏｎ（ＬＴＥ）エアインターフェース技術のサポートを提供する。発展型高速パケットデータ（ＥＨＲＰＤ）およびＬｏｎｇ  Ｔｅｒｍ  Ｅｖｏｌｕｔｉｏｎ（ＬＴＥ）エアインターフェース１０６技術は、同じコアネットワーク２９９によってサポートされ得る。
【００３６】
同じコアネットワーク２９９によってサポートされるエアインターフェース１０６技術を各モデム２０５がサポートし得る複数のモデム２０５をユーザ機器（ＵＥ）２０４が使用するとき、ユーザ機器（ＵＥ）２０４がコアネットワーク２９９中を移動すると、問題が起こる場合があり、異なるエアインターフェース１０６上でデータ接続がセットアップおよび切断される。これらの起こり得る問題は、ＬＴＥ／ＵＭＴＳ／ＧＳＭ／ＥＶＤＯ／ＥＨＲＰＤエアインターフェース技術をサポートする第１のモデム２０５ａと、１ｘ／ＩＳ９５エアインターフェース技術をサポートする第２のモデム２０５ｂとを含むユーザ機器（ＵＥ）２０４を用いて説明される。この説明は、例示のために行われるのであって、限定としてではない。同様の問題が、各モデム２０５の少なくとも１つのエアインターフェース技術が共通コアネットワーク２９９を共有する、２つのモデム２０５に組み込まれたエアインターフェース技術の他の組合せに対しても存在し得る。
【００３７】
ユーザ機器（ＵＥ）２０４上のアプリケーションプロセッサ２３９は、ユーザ機器（ＵＥ）２０４内の各モデム２０５が共通コアネットワーク２９９へのデータ接続性を提供するとき、どのモデム２０５が利用されるべきか判定することができる。たとえば、エボリューションデータ最適化（ＥＶＤＯ）と１ｘ接続性の両方が使用可能であるとき、アプリケーションプロセッサ２３９は通常、１ｘよりもエボリューションデータ最適化（ＥＶＤＯ）を選択し得る。
【００３８】
各モデム２０５は、ユーザ機器（ＵＥ）２０４がその中にあるカバレージエリアと、エアインターフェース１０６を介した受信信号強度とに依存して、その特定のモデム２０５がデータ接続性を提供するかどうかを、アプリケーションプロセッサ２３９上のオペレーティングシステム（ＯＳ）に通知することができる。両方のモデム２０５が、それぞれがデータサービスを提供可能であることを示すとき、アプリケーションプロセッサ２３９上のオペレーティングシステム（ＯＳ）は、より高度な技術を提供するモデム２０５を選ぶことができる。たとえば、１ｘ専用カバレージエリアでは、第２のモデム２０５ｂ（１ｘエアインターフェースモデム）は、１ｘ上での接続性を提供可能であるとレポートすることになる。第１のモデム２０５ａは、１ｘ上で接続性可能であるとはレポートしない。アプリケーションがデータ接続性を希望するとき、オペレーティングシステム（ＯＳ）は、１ｘエアインターフェース１０６を介した、第２のモデム２０５ｂを使用するデータ接続性を開始するだけでよい。発展型高速パケットデータ（ＥＨＲＰＤ）と１ｘ接続性の両方がある別のエリアでは、第１のモデム２０５ａおよび第２のモデム２０５ｂは、発展型高速パケットデータ（ＥＨＲＰＤ）および１ｘを介した接続性をそれぞれレポートすることになる。アプリケーションがデータ接続性を希望するとき、アプリケーションプロセッサ２３９上のオペレーティングシステム（ＯＳ）は、発展型高速パケットデータ（ＥＨＲＰＤ）がより高度な技術であり、または１ｘよりも好適であり得るので、第１のモデム２０５ａ上でデータ接続を開始すればよい。
【００３９】
さらに別の例では、Ｌｏｎｇ  Ｔｅｒｍ  Ｅｖｏｌｕｔｉｏｎ（ＬＴＥ）、発展型高速パケットデータ（ＥＨＲＰＤ）および１ｘ接続性があるエリアにユーザ機器（ＵＥ）２０４があるとき、第１のモデム２０５ａは、Ｌｏｎｇ  Ｔｅｒｍ  Ｅｖｏｌｕｔｉｏｎ（ＬＴＥ）を介した接続性を提供可能であるとレポートすることができ、第２のモデム２０５ｂは、１ｘを介した接続性を提供可能であるとレポートすることができる。第１のモデム２０５ａは、Ｌｏｎｇ  Ｔｅｒｍ  Ｅｖｏｌｕｔｉｏｎ（ＬＴＥ）が発展型高速パケットデータ（ＥＨＲＰＤ）よりも好適（たとえば、より良好な技術）であると内部で決め得ることを諒解されたい。アプリケーションプロセッサ２３９上のオペレーティングシステム（ＯＳ）は、１ｘを介してではなく、Ｌｏｎｇ  Ｔｅｒｍ  Ｅｖｏｌｕｔｉｏｎ（ＬＴＥ）を介して接続性を確立すると決め得る。
【００４０】
各モデム２０５ａ〜ｂは、それぞれ、データ呼状態２０７ａ〜ｂを含み得る。データ呼状態２０７の例には、「データ呼なし」、「技術Ｘを介したデータ呼を立ち上げ中」、「技術Ｘを介したデータ呼が確立済み」および「技術Ｘを介したデータ呼が切断中」がある。Ｘは、モデム２０５内の有効技術を指し得る。各モデム２０５ａ〜ｂは、それぞれ、ＷａｉｔＦｏｒＧｒａｃｅｆｕｌＴｅｒｍｉｎａｔｉｏｎタイマー２０８ａ〜ｂも含み得る。各モデム２０５ａ〜ｂは、それぞれ、ＷａｉｔＦｏｒＯｔｈｅｒＭｏｄｅｍＴｏＴｅｒｍｉｎａｔｅタイマー２０９ａ〜ｂをさらに含み得る。ＷａｉｔＦｏｒＧｒａｃｅｆｕｌＴｅｒｍｉｎａｔｉｏｎタイマー２０８は、確立済みデータ呼をもつモデム２０５によって、モデム２０５が、確立済みデータ呼が切断されるのを無期限に待つことがないようにするのに使われ得る。ＷａｉｔＦｏｒＯｔｈｅｒＭｏｄｅｍＴｏＴｅｒｍｉｎａｔｅタイマー２０９は、データ呼を確立するのを待っているモデム２０５によって、モデム２０５が、確立済みデータ呼をもつモデム２０５がその状態を「データ呼なし」に変更するのを無期限に待つことがないようにするのに使われ得る。ＷａｉｔＦｏｒＯｔｈｅｒＭｏｄｅｍＴｏＴｅｒｍｉｎａｔｅタイマー２０９およびＷａｉｔＦｏｒＧｒａｃｅｆｕｌＴｅｒｍｉｎａｔｉｏｎタイマー２０８については、図１０に関して以下でさらに詳細に説明する。
【００４１】
各モデム２０５ａ〜ｂは、それぞれ、呼タイプ２１０ａ〜ｂも含み得る。呼タイプ２１０は、「埋込み呼」または「テザード呼」のいずれかであり得る。埋込み呼では、データ呼はユーザ機器（ＵＥ）２０４によって開始される。テザード呼では、データ呼はテザーデバイス（ラップトップなど）によって開始される。埋込み呼およびテザード呼については、図１４に関して以下でさらに詳細に説明する。
【００４２】
各モデム２０５ａ〜ｂは、それぞれ、呼スロットル状態２１２ａ〜ｂをさらに含み得る。呼スロットル状態２１２は、データ呼がスロットルであるか、それとも非スロットルであるかを示し得る。呼スロットル状態２１２がスロットルのとき、呼スロットル状態２１２は、スロットリングが無線それとも非無線不具合によるものかを示し得る。データスロットル状態２１２は、行われたデータ呼試行の回数も示し得る。モデム２０５ａ〜ｂは、試行カウンタ２１３ａ〜ｂを、行われたデータ呼試行の回数を追跡するのに、およびスロットリングタイマー２１４ａ〜ｂを、データ呼がどの程度長くスロットルされるべきかを追跡するのに、それぞれ使うことができる。呼スロットル状態２１２については、図１６および図１７に関して以下でさらに詳細に説明する。
【００４３】
図３は、複数のモデム３０５ａ〜ｂを有するユーザ機器（ＵＥ）３０４を示すブロック図である。ユーザ機器（ＵＥ）３０４は、アプリケーションプロセッサ３３９と、第１のモデム３０５ａと、第２のモデム３０５ｂとを含み得るアプリケーションプロセッサ３３９は、Ｗｉｎｄｏｗｓ（登録商標）モバイル、アンドロイド、Ｌｉｎｕｘ（登録商標）モバイルオペレーティングシステム（ＬＩＭＯ）、Ｂｒｅｗモバイルプラットフォーム（ＢＭＰ）などのようなオペレーティングシステム（ＯＳ）３０１を稼動することができる。第１のモデム３０５ａは、ＬＴＥ／ＥＨＲＰＤ／ＥＶＤＯ／ＵＭＴＳ／ＧＳＭなどのエアインターフェース技術をサポートすることができる。１つの構成では、第１のモデム３０５ａは、３ＧＰＰエアインターフェース技術のみをサポートし得る。第２のモデム３０５ｂは、１ｘ／ＩＳ９５などのエアインターフェース技術をサポートすることができる。１つの構成では、第２のモデム３０５ｂは、３ＧＰＰ２エアインターフェース技術をサポートするだけでもよい。
【００４４】
図４は、複数のモデム４０５ａ〜ｂを有する別のユーザ機器（ＵＥ）４０４を示すブロック図である。ユーザ機器（ＵＥ）４０４は、アプリケーションプロセッサ４３９と、第１のモデム４０５ａと、第２のモデム４０５ｂとを含み得る。アプリケーションプロセッサ４３９は、Ｗｉｎｄｏｗｓモバイル、アンドロイド、ＬＩＭＯなどのようなオペレーティングシステム（ＯＳ）４０１を稼動することができる。第１のモデム４０５ａは、ＬＴＥ／ＵＭＴＳ／ＧＳＭなどのエアインターフェース技術をサポートすることができる。第２のモデム４０５ｂは、ＥＨＲＰＤ／ＥＶＤＯ／１ｘ／ＩＳ９５などのエアインターフェース技術をサポートすることができる。
【００４５】
図５Ａ〜図５Ｆは、ユーザ機器（ＵＥ）５０４がカバレージエリアの変更（または、ネットワークへの接続性の変更）を受け得る様々なシナリオを示す。図５Ａ〜図５Ｆは、同じ３つのカバレージエリア、すなわち１ｘ５４０、１ｘ＋ＥＶＤＯ５４１およびＥＶＤＯ５４２を示す。ユーザ機器（ＵＥ）５０４上の第１のモデム１０５ａは、ＬＴＥ／ＵＭＴＳ／ＧＳＭ／ＥＶＤＯ／ＥＨＲＰＤエアインターフェースをサポートすることができ、ユーザ機器（ＵＥ）５０４上の第２のモデム１０５ｂは、１ｘ／ＩＳ９５エアインターフェースをサポートすることができる。同様の問題および解決法が、エアインターフェース技術の他の組合せをもつモデム構成に拡張し得る。
【００４６】
図５Ａは、ユーザ機器（ＵＥ）５０４が１ｘ専用カバレージエリア５４０からエボリューションデータ最適化（ＥＶＤＯ）および１ｘカバレージエリア５４１に移動するときのシナリオを示す。ユーザ機器（ＵＥ）５０４が１ｘ専用カバレージエリア５４０内にある間、データ接続性は、１ｘを介した第２のモデム１０５ｂを通してアプリケーションプロセッサ３３９のオペレーティングシステム（ＯＳ）によって確立され得る。ユーザ機器（ＵＥ）５０４がエボリューションデータ最適化（ＥＶＤＯ）および１ｘカバレージエリア５４１に移動すると、第１のモデム１０５ａは、エボリューションデータ最適化（ＥＶＤＯ）を介したデータ接続性を提供することが可能であると、アプリケーションプロセッサ３３９上のオペレーティングシステム（ＯＳ）にレポートし得る。これは第１のシナリオ５４３ａと呼ばれることがある。
【００４７】
図５Ｂは、ユーザ機器（ＵＥ）５０４が１ｘ専用カバレージエリア５４０からエボリューションデータ最適化（ＥＶＤＯ）カバレージエリア５４２に移動するシナリオを示す。１ｘを介したデータ接続性は最初、アプリケーションプロセッサ３３９上のオペレーティングシステム（ＯＳ）によって第２のモデム１０５ｂを使って確立され得る。次いで、ユーザ機器（ＵＥ）５０４は、エボリューションデータ最適化（ＥＶＤＯ）カバレージエリア５４２に移動することができ、ここには、エボリューションデータ最適化（ＥＶＤＯ）エアインターフェースカバレージのみがある（すなわち、発展型高速パケットデータ（ＥＨＲＰＤ）も、Ｌｏｎｇ  Ｔｅｒｍ  Ｅｖｏｌｕｔｉｏｎ（ＬＴＥ）も、１ｘもない）。エボリューションデータ最適化（ＥＶＤＯ）カバレージエリア５４２内で、第１のモデム１０５ａは、エボリューションデータ最適化（ＥＶＤＯ）を介したデータ接続性をオペレーティングシステム（ＯＳ）にレポートすることができ、第２のモデム１０５ｂは、１ｘを介したデータ接続性の損失をレポートすることができる。これは第２のシナリオ５４３ｂと呼ばれることがある。
【００４８】
図５Ｃは、ユーザ機器（ＵＥ）５０４がエボリューションデータ最適化（ＥＶＤＯ）専用カバレージエリア５４２から１ｘ専用カバレージエリア５４０に移動するシナリオを示す。オペレーティングシステム（ＯＳ）は最初に、第１のモデム１０５ａにより、エボリューションデータ最適化（ＥＶＤＯ）を介したデータ接続性を確立することができる。次いで、ユーザ機器（ＵＥ）５０４は、１ｘ専用カバレージエリア５４０に移動することができる。第１のモデム１０５ａは、エボリューションデータ最適化（ＥＶＤＯ）を介したデータ接続性の損失をオペレーティングシステム（ＯＳ）にレポートすることができる。第２のモデム１０５ｂは、１ｘを介したデータ接続性をオペレーティングシステム（ＯＳ）にレポートすることができる。これは第３のシナリオ５４３ｃと呼ばれることがある。
【００４９】
図５Ｄは、ユーザ機器（ＵＥ）５０４がエボリューションデータ最適化（ＥＶＤＯ）専用カバレージエリア５４２からエボリューションデータ最適化（ＥＶＤＯ）および１ｘカバレージエリア５４１に移動するシナリオを示す。データ接続性は、最初に、オペレーティングシステム（ＯＳ）によって、第１のモデム１０５ａによりエボリューションデータ最適化（ＥＶＤＯ）を介して確立することができる。次いで、ユーザ機器（ＵＥ）５０４は、エボリューションデータ最適化（ＥＶＤＯ）と１ｘ接続性の両方があるエボリューションデータ最適化（ＥＶＤＯ）および１ｘカバレージエリア５４１に移動することができる。第２のモデム１０５ｂは、１ｘを介した接続性の能力をオペレーティングシステム（ＯＳ）にレポートすることができる。第１のモデムは、エボリューションデータ最適化（ＥＶＤＯ）を介した接続性の変更をレポートしなくてよい。これは第４のシナリオ５４３ｄと呼ばれることがある。第４のシナリオ５４３ｄでは、概して、第２のモデム１０５ｂを介した１ｘデータ接続性に切り換えるのではなく、第１のモデム１０５ａを介したエボリューションデータ最適化（ＥＶＤＯ）データ接続性を維持することが好ましい場合がある。
【００５０】
図５Ｅは、ユーザ機器（ＵＥ）５０４が１ｘおよびエボリューションデータ最適化（ＥＶＤＯ）接続性カバレージエリア５４１から、１ｘ専用データ接続性を有するカバレージエリア５４０に移動するシナリオを示す。最初に、第１のモデム１０５ａは、エボリューションデータ最適化（ＥＶＤＯ）接続性をレポートすることができ、第２のモデム１０５ｂは、１ｘ接続性をレポートすることができる。オペレーティングシステム（ＯＳ）は、第１のモデム１０５ａを通して、エボリューションデータ最適化（ＥＶＤＯ）を介した接続性を確立することができる。次いで、ユーザ機器（ＵＥ）５０４は、１ｘ接続性のみがあるカバレージエリア５４０に移動することができる。第１のモデム１０５ａは、エボリューションデータ最適化（ＥＶＤＯ）を介した接続性の損失をオペレーティングシステム（ＯＳ）にレポートすることができる。これは第５のシナリオ５４３ｅと呼ばれることがある。
【００５１】
図５Ｆは、ユーザ機器（ＵＥ）５０４が１ｘとエボリューションデータ最適化（ＥＶＤＯ）接続性の両方を有するカバレージエリア５４１から、エボリューションデータ最適化（ＥＶＤＯ）接続性のみを有するカバレージエリア５４２に移動するシナリオを示す。最初に、第１のモデム１０５ａは、エボリューションデータ最適化（ＥＶＤＯ）接続性をレポートすることができ、第２のモデム１０５ｂは、１ｘ接続性をレポートすることができる。データ接続性は、オペレーティングシステム（ＯＳ）によって、第１のモデム１０５ａによるエボリューションデータ最適化（ＥＶＤＯ）を介して確立することができる。次いで、ユーザ機器（ＵＥ）５０４は、エボリューションデータ最適化（ＥＶＤＯ）接続性のみがあるカバレージエリア５４２に移動することができる。第２のモデム１０５ｂは、１ｘを介した接続性の損失をオペレーティングシステム（ＯＳ）にレポートすることができる。これは第６のシナリオ５４３ｆと呼ばれることがある。
【００５２】
図６は、第１のモデム６０５ａと第２のモデム６０５ｂとの間の、イベントベースのモデム間通信を示すブロック図である。図６の第１のモデム６０５ａおよび第２のモデム６０５ｂは、図１の第１のモデム１０５ａおよび第２のモデム１０５ｂの一構成であり得る。第１のモデム６０５ａおよび第２のモデム６０５ｂに、互いに情報を通信または共有させるためのフレームワークが実装され得る。概して、各モデム６０５は、それ自身についての状態情報ならびに他方のモデム６０５についての状態情報を維持することができる。状態情報は、データ呼状態２０７と、呼タイプ２１０と、呼スロットル状態２１２とを含み得る。第１のモデム６０５ａと第２のモデム６０５ｂとの間の通信リンクは、直接物理リンクでも間接論理リンクでもよい。
【００５３】
イベントベースのモデム間通信において、一方のモデム６０５が、その状態情報を更新し、次いで、他方のモデム６０５に状態情報変更を通知することができる。たとえば、第１のモデム６０５ａが状態を変更すると、第１のモデム６０５ａは、第１のモデム６０５ａの新規状態を示す状態更新メッセージ６４４を第２のモデム６０５ｂに送ることができる。同様に、第２のモデム６０５ｂが状態を変更すると、第２のモデム６０５ｂは、第２のモデム６０５ｂの新規状態を示す状態更新メッセージ６４６を第１のモデム６０５ａに送ることができる。
【００５４】
図７は、第１のモデム７０５ａと第２のモデム７０５ｂとの間の、問合せおよび応答モデム間通信を示すブロック図である。図７の第１のモデム７０５ａおよび第２のモデム７０５ｂは、図１の第１のモデム１０５ａおよび第２のモデム１０５ｂの一構成であり得る。本実施態様では、一方のモデム７０５が、他方のモデム７０５の状態を問い合わせることができる。他方のモデム７０５は次いで、その現在の状態で応答すればよい。たとえば、第１のモデム７０５ａが、第２のモデム７０５ｂの状態を調べることを希望し得る。第１のモデム７０５ａは、第２のモデム７０５ｂに状態問合せ要求７４７を送ればよい。第２のモデム７０５ｂは、状態レポート７４８で応答すればよい。同様に、第２のモデム７０５ｂが、第１のモデム７０５ａに状態問合せ要求７５０を送ることができ、第１のモデム７０５ａは、状態レポート７４９で応答することができる。１つの構成では、モデム間通信は、イベントベースの機構と問合せおよび応答機構の両方を含み得る。
【００５５】
モデム間通信は、ユーザ機器（ＵＥ）１０４の異なるモデム７０５上でサポートされる２つのエアインターフェース技術を提供するコアネットワーク２９９と、ユーザ機器（ＵＥ）１０４が対話するときに起こるある特定のタイプの問題を最小限にするのに使われ得る。起こり得る１つのそのような問題は、複数のモデム７０５を有するユーザ機器（ＵＥ）１０４が、あるエアインターフェースカバレージエリアから別のエアインターフェースカバレージエリアに、または重複するカバレージエリア（すなわち、以前のカバレージエリアのエアインターフェース技術と、別のエアインターフェース技術の両方をサポートするカバレージエリア）に移動するときである。あるエアインターフェースを介した接続確立および別のエアインターフェース上での接続切断のための並行活動の結果、第２のモデム７０５ｂの接続セットアップを終了する第１のモデム７０５ａからの終了要求（たとえば、第２のモデム７０５ｂによりデータ接続性を確立するために新規ポイントツーポイントプロトコル（ＰＰＰ）接続要求）が生じる。状態情報のモデム間通信がないと、２つのモデム７０５は、互いに気づくことができず、コアネットワーク２９９に非同期メッセージを送り得る。非同期メッセージの結果、好適エアインターフェース１０６を介した呼セットアップが、比較的好適でないエアインターフェース１０６を介して送られた切断要求に応答して、ネットワークによって終了され得る。
【００５６】
図８は、ユーザ機器（ＵＥ）８０４上の２つのモデム８０５ａ〜ｂからの非同期メッセージを伴うあるシナリオを示す呼フロー図である。図８のユーザ機器（ＵＥ）８０４は、図１のユーザ機器（ＵＥ）１０４の一構成であり得る。ユーザ機器（ＵＥ）８０４は、アプリケーションプロセッサ８３９と、ＬＴＥ／ＥＨＲＰＤ／ＥＶＤＯ接続性を提供する第１のモデム８０５ａと、１ｘ／ＩＳ９５接続性を提供する第２のモデム８０５ｂとを含み得る。ネットワークは、エボリューションデータ最適化（ＥＶＤＯ）無線アクセスネットワーク（ＲＡＮ）８２２と、１ｘ基地局８２１と、パケットデータサービスノード（ＰＤＳＮ）８３２とを含み得る。最初に、時間ｔ1で、第２のモデム８０５ｂの１ｘエアインターフェースを介したデータ呼８３１は、アプリケーション（たとえば、アプリケーションプロセッサ８３９上で稼動するウェブブラウザ）にインターネットプロトコル（ＩＰ）接続性を提供することができる。このデータ接続性は、アプリケーションプロセッサ８３９、第２のモデム８０５ｂ、１ｘ基地局８２１およびパケットデータサービスノード（ＰＤＳＮ）８３２を介して、ウェブブラウザからインターネット２３０まで確立され得る。
【００５７】
第２のモデム８０５ｂは、パケットデータサービスノード（ＰＤＳＮ）８３２との既存のポイントツーポイントプロトコル（ＰＰＰ）接続を有し得る。時間ｔ2で、エボリューションデータ最適化（ＥＶＤＯ）接続性が使用可能になり得る。第１のモデム８０５ａは、８５２で、エボリューションデータ最適化（ＥＶＤＯ）が使用可能であるとアプリケーションプロセッサ８３９にレポートすることができる。アプリケーションプロセッサ８３９は、エボリューションデータ最適化（ＥＶＤＯ）接続がより良好なデータサービスを提供することができるので、ＥＶＤＯ接続に切り換えると決定することができる。時間ｔ3で、アプリケーションプロセッサ８３９は、８５３で、第２のモデム８０５ｂに、１ｘデータ接続を切断するようシグナリングすることができる。時間ｔ4で、アプリケーションプロセッサ８３９は、８５４で、第１のモデム８０５ａに、エボリューションデータ最適化（ＥＶＤＯ）エアインターフェース１０６を介したデータ呼を立ち上げるようシグナリングすることができる。時間ｔ5で、第１のモデム８０５ａは、エボリューションデータ最適化（ＥＶＤＯ）接続をセットアップするために、ポイントツーポイントプロトコル（ＰＰＰ）リンク制御プロトコル（ＬＣＰ）構成要求（Ｃｏｎｆｉｇ−Ｒｅｑ）メッセージ８５５をパケットデータサービスノード（ＰＤＳＮ）８３２に送ることができる。
【００５８】
パケットデータサービスノード（ＰＤＳＮ）８３２は、ユーザ機器（ＵＥ）８０４内に、パケットデータサービスノード（ＰＤＳＮ）８３２に接続することが可能な２つのモデム８０５があることに気づくことができないので、パケットデータサービスノード（ＰＤＳＮ）８３２は、８５６で、（１ｘ接続を切断するために）ユーザ機器（ＵＥ）８０４との古いポイントツーポイントプロトコル（ＰＰＰ）接続を自動的に削除し、第１のモデム８０５ａを介したエボリューションデータ最適化（ＥＶＤＯ）接続を確立するためにユーザ機器（ＵＥ）８０４との新規ポイントツーポイントプロトコル（ＰＰＰ）接続を開始してよい。時間ｔ6で、新規ポイントツーポイントプロトコル（ＰＰＰ）接続８５７が、第１のモデム８０５ａとパケットデータサービスノード（ＰＤＳＮ）８３２との間で確立され得る。時間ｔ7で、第２のモデム８０５ｂは、（１ｘ接続向けの切断プロセスの一部として）ポイントツーポイントプロトコル（ＰＰＰ）リンク制御プロトコル（ＬＣＰ）終了要求（Ｔｅｒｍ  Ｒｅｑ）メッセージ８５８をパケットデータサービスノード（ＰＤＳＮ）８３２に送ることができる。パケットデータサービスノード（ＰＤＳＮ）８３２は通常、ユーザ機器（ＵＥ）８０４との１つのポイントツーポイントプロトコル（ＰＰＰ）接続をサポートするだけであるので、パケットデータサービスノード（ＰＤＳＮ）８３２は、終了要求が、確立されたばかりのポイントツーポイントプロトコル（ＰＰＰ）接続８５７についてのものであると見なし得る。結果として、第１のモデム８０５ａがパケットデータサービスノード（ＰＤＳＮ）８３２との新規ポイントツーポイントプロトコル（ＰＰＰ）接続８５７を確立し、並行して、第２のモデム８０５ｂがパケットデータサービスノード（ＰＤＳＮ）８３２との既存のポイントツーポイントプロトコル（ＰＰＰ）接続を切断したとき、パケットデータサービスノード（ＰＤＳＮ）８３２は、誤ってエボリューションデータ最適化（ＥＶＤＯ）接続の切断８５９を始める場合がある。
【００５９】
図９は、ユーザ機器（ＵＥ）９０４上の２つのモデム９０５ａ〜ｂからの非同期メッセージを伴うある別のシナリオを示す呼フロー図である。ユーザ機器（ＵＥ）９０４は、アプリケーションプロセッサ９３９と、ＬＴＥ／ＥＨＲＰＤ／ＥＶＤＯ接続性を提供するために第１のモデム９０５ａと、１ｘ／ＩＳ９５接続性を提供するために第２のモデム９０５ｂとを含み得る。ネットワークは、エボリューションデータ最適化（ＥＶＤＯ）無線アクセスネットワーク（ＲＡＮ）９２２と、１ｘ基地局９２１と、エボリューションデータ最適化（ＥＶＤＯ）パケットデータサービスノード（ＰＤＳＮ）／外部エージェント（ＦＡ）９３２と、１ｘパケットデータサービスノード（ＰＤＳＮ）／外部エージェント（ＦＡ）９６０と、ホームエージェント（ＨＡ）９３１とを含み得る。現在のネットワーク構成は、図８に示すような共通パケットデータサービスノード（ＰＤＳＮ）／外部エージェント（ＦＡ）８３２、または図９に示すような各エアインターフェース１０６向けの異なるパケットデータサービスノード（ＰＤＳＮ）／外部エージェント（ＦＡ）９３２、９６０を使用し得ることを諒解されたい。異なるパケットデータサービスノード（ＰＤＳＮ）／外部エージェント（ＦＡ）９３２、９６０は、図８に示したようなパケットデータサービスノード（ＰＤＳＮ）／外部エージェント（ＦＡ）８３２における問題を回避し得るが、異なるパケットデータサービスノード（ＰＤＳＮ）／外部エージェント（ＦＡ）９３２、９６０の使用は、概して、後で詳細に説明するように、ホームエージェント（ＨＡ）９３１で起こる問題は回避しない。
【００６０】
時間ｔ1で、モバイルＩＰ（ＭＩＰ）サービスを利用する、ウェブブラウザからインターネット２３０へのデータ接続９６１が、アプリケーションプロセッサ９３９、第２のモデム９０５ｂ、１ｘ基地局９２１、１ｘパケットデータサービスノード（ＰＤＳＮ）／外部エージェント（ＦＡ）９６０およびホームエージェント（ＨＡ）９３１を介して確立され得る。第２のモデム９０５ｂは、１ｘパケットデータサービスノード（ＰＤＳＮ）／外部エージェント９６０との既存のポイントツーポイントプロトコル（ＰＰＰ）接続を有し得る。
【００６１】
時間ｔ2で、エボリューションデータ最適化（ＥＶＤＯ）接続性が使用可能になり得る。第１のモデム９０５ａは、９５２で、エボリューションデータ最適化（ＥＶＤＯ）接続性をアプリケーションプロセッサ９３９にレポートすることができる。アプリケーションプロセッサ９３９は、エボリューションデータ最適化（ＥＶＤＯ）接続がより良好なデータサービスを提供することができるので、ＭＩＰサービス用のＥＶＤＯ接続に切り換えると決定することができる。時間ｔ3で、アプリケーションプロセッサ９３９は、９５３で、第２のモデム９０５ｂに、１ｘデータ接続を切断するようシグナリングすることができる。時間ｔ4で、アプリケーションプロセッサ９３９は、９３４で、第１のモデム９０５ａに、エボリューションデータ最適化（ＥＶＤＯ）エアインターフェース１０６を介した、エボリューションデータ最適化（ＥＶＤＯ）パケットデータサービスノード（ＰＤＳＮ）／外部エージェント（ＦＡ）９３２とのデータ接続を確立するようシグナリングすることができる。時間ｔ5で、第１のモデム９０５ａは、エボリューションデータ最適化（ＥＶＤＯ）接続をセットアップするために、ポイントツーポイントプロトコル（ＰＰＰ）リンク制御プロトコル（ＬＣＰ）構成要求メッセージ９５５をエボリューションデータ最適化（ＥＶＤＯ）パケットデータサービスノード（ＰＤＳＮ）／外部エージェント（ＦＡ）９３２に送ることができる。時間ｔ6で、ポイントツーポイントプロトコル（ＰＰＰ）接続が、９６２で、第１のモデム９０５ａとエボリューションデータ最適化（ＥＶＤＯ）パケットデータサービスノード（ＰＤＳＮ）／外部エージェント（ＦＡ）９３２との間で確立され得る。時間ｔ7で、第１のモデム９０５ａは、モバイルＩＰ（ＭＩＰ）サービスを確立するために、ＭＩＰ登録要求メッセージ９６３を、エボリューションデータ最適化（ＥＶＤＯ）無線アクセスネットワーク（ＲＡＮ）９２２およびエボリューションデータ最適化（ＥＶＤＯ）パケットデータサービスノード（ＰＤＳＮ）／外部エージェント（ＦＡ）９３２を介してホームエージェント（ＨＡ）９３１に送ることができる。時間ｔ8で、第１のモデム９０５ａとホームエージェント（ＨＡ）９３１との間で、モバイルＩＰ（ＭＩＰ）サービスが９６４で確立され得る。
【００６２】
ホームエージェント（ＨＡ）９３１は、ホームエージェント（ＨＡ）９３１とのＭＩＰセッションを確立することが可能である２つのモデム９０５がユーザ機器（ＵＥ）９０４内にあることに気づくことができないので、ホームエージェント（ＨＡ）９３１は、９６５で、ユーザ機器（ＵＥ）９０４との古いＭＩＰ登録を自動的に削除し（すなわち、１ｘ接続を切断し）、第１のモデム９０５ａを介したエボリューションデータ最適化（ＥＶＤＯ）接続のために、ユーザ機器（ＵＥ）９０４との新規ＭＩＰ登録を確立する場合がある。時間ｔ9で、第２のモデム９０５ｂは、（１ｘ接続を介したＭＩＰサービスの切断プロセスの一部として）ＭＩＰ登録解除要求メッセージ９６６を、１ｘ基地局９２１および１ｘパケットデータサービスノード（ＰＤＳＮ）／外部エージェント（ＦＡ）９６０を介してホームエージェント（ＨＡ）９３１に送ることができる。
【００６３】
ホームエージェント（ＨＡ）９３１は通常、ユーザ機器（ＵＥ）９０４との１つのＭＩＰ接続をサポートするだけなので、ホームエージェント（ＨＡ）９３１は、ＭＩＰ登録解除要求メッセージ９６６が、新たに確立されたＭＩＰ接続についてであると見なし得る。結果として、ホームエージェント（ＨＡ）９３１は、９６７で、誤ってＭＩＰ登録解除を始める場合がある。第１のモデム９０５ａがホームエージェント（ＨＡ）９３１とのＭＩＰ接続を確立し、並行して、第２のモデム９０５ｂがホームエージェント（ＨＡ）９３１とのＭＩＰ接続を切断したとき、ホームエージェント（ＨＡ）９３１は、エボリューションデータ最適化（ＥＶＤＯ）接続を終了し得る。上記の接続問題点を最小限にするために、第１のモデム９０５ａおよび第２のモデム９０５ｂは、モデムのアクションが確実に同期して起こるように、モデムの活動を調整すればよい。
【００６４】
図１０は、モデム間調整のための方法１０００を示すフロー図である。方法１０００は、ユーザ機器（ＵＥ）１０４上の第１のモデム１０５ａおよび第２のモデム１０５ｂによって実施され得る。第１のモデム１０５ａは、１００２で、第１のエアインターフェース１０６ａを使って第１のネットワークカバレージエリア内のネットワークへのデータ接続を確立することができる。ユーザ機器（ＵＥ）１０４は次いで、１００４で、第２のモデム１０５ｂによって提供される第２のエアインターフェース１０６ｂで第２のネットワークカバレージエリアを検出することができる。第２のネットワークカバレージエリアは、第１のエアインターフェース１０６ａと第２のエアインターフェース１０６ｂの両方を含み得る。あるいは、第２のネットワークカバレージエリアは、第２のエアインターフェース１０６ｂのみを含み得る。
【００６５】
第１のモデム１０５ａは、１００６で、依然として無線カバレージをもっているかどうか（すなわち、第２のネットワークカバレージエリアが、第１のエアインターフェース１０６ａと第２のエアインターフェース１０６ｂの両方、それとも第２のエアインターフェース１０６ｂのみを含むか）判定することができる。第１のモデム１０５ａが無線カバレージをもっていない場合、ユーザ機器（ＵＥ）１０４は、１０２６で、第２のモデム１０５ｂによって提供される第２のエアインターフェース１０６ｂを使って、ネットワークとのデータ接続を開始することができる。第１のモデム１０５ａが無線カバレージをもっている場合、ユーザ機器（ＵＥ）１０４は、１００８で、第２のモデム１０５ｂとのデータ呼が、現在のデータ接続よりも良好なデータサービスを提供するかどうか判定することができる。第２のモデム１０５ｂとのデータ呼が、現在のデータ接続よりも良好なデータサービスを提供しない場合、ユーザ機器（ＵＥ）１０４は、１０１０で、第１のモデム１０５ａによって提供される第１のエアインターフェース１０６ａを使用するネットワークへの現在のデータ接続を続けることができる。
【００６６】
第２のモデム１０５ｂとのデータ呼が、現在のデータ接続よりも良好なデータサービスを提供する場合、第１のモデム１０５ａは、１０１２で、ＷａｉｔＦｏｒＧｒａｃｅｆｕｌＴｅｒｍｉｎａｔｉｏｎタイマー２０８を始動することができる。第２のモデム１０５ｂは、１０１４で、ＷａｉｔＦｏｒＯｔｈｅｒＭｏｄｅｍＴｏＴｅｒｍｉｎａｔｅタイマー２０９を始動し得る。ユーザ機器（ＵＥ）１０４は、１０１６で、第１のモデム１０５ａ上のＷａｉｔＦｏｒＧｒａｃｅｆｕｌＴｅｒｍｉｎａｔｉｏｎタイマー２０８が終了しているかどうか判定することができる。ＷａｉｔＦｏｒＧｒａｃｅｆｕｌＴｅｒｍｉｎａｔｉｏｎタイマー２０８が終了している場合、ユーザ機器（ＵＥ）１０４は、１０２４で、第１のモデム１０５ａのデータ呼状態２０７を「データ呼なし」に変更すればよい。ＷａｉｔＦｏｒＧｒａｃｅｆｕｌＴｅｒｍｉｎａｔｉｏｎタイマー２０８が終了していない場合、ユーザ機器（ＵＥ）１０４は、１０１８で、第２のモデム１０５ｂ上のＷａｉｔＦｏｒＯｔｈｅｒＭｏｄｅｍＴｏＴｅｒｍｉｎａｔｅタイマー２０９が終了しているかどうか判定すればよい。
【００６７】
第２のモデム１０５ｂ上のＷａｉｔＦｏｒＯｔｈｅｒＭｏｄｅｍＴｏＴｅｒｍｉｎａｔｅタイマー２０９が終了している場合、ユーザ機器（ＵＥ）１０４は、１０２６で、第２のモデム１０５ｂを使ってネットワークとのデータ接続を開始することができる。第２のモデム１０５ｂ上のＷａｉｔＦｏｒＯｔｈｅｒＭｏｄｅｍＴｏＴｅｒｍｉｎａｔｅタイマー２０９が終了していない場合、ユーザ機器（ＵＥ）１０４は、１０２０で、第２のモデム１０５ｂのデータ呼状態２０７が「データ呼なし」にセットされているかどうか判定することができる。第２のモデム１０５ｂのデータ呼状態２０７が「データ呼なし」にセットされていない場合、ユーザ機器（ＵＥ）１０４は、１０１６で、ＷａｉｔＦｏｒＧｒａｃｅｆｕｌＴｅｒｍｉｎａｔｉｏｎタイマー２０８が終了しているかどうか再度判定すればよい。第２のモデム１０５ｂのデータ呼状態２０７が「データ呼なし」にセットされている場合、ユーザ機器（ＵＥ）１０４は、１０２２で、第１のモデム１０５ａのデータ接続を終了してよい。ユーザ機器（ＵＥ）１０４は次いで、１０２４で、第１のモデム１０５ａのデータ呼状態２０７を「データ呼なし」に変更すればよい。
【００６８】
ユーザ機器（ＵＥ）１０４が、１０２４で、第１のモデム１０５ａのデータ呼状態２０７を「データ呼なし」に変更した場合、ユーザ機器（ＵＥ）１０４は、１０２６で、第２のモデム１０５ｂによって提供される第２のエアインターフェース１０６ｂを使って、ネットワークとのデータ接続を開始することができる。ユーザ機器（ＵＥ）１０４は次いで、１０２８で、第２のモデム１０５ｂのデータ呼状態２０７を「データ呼確立済み」に変更すればよい。第２のモデム１０５ｂは、１０３０で、第１のモデム１０５ａに新規データ呼状態２０７をシグナリングするためにイベントを生成することができる。
【００６９】
図１１は、ユーザ機器（ＵＥ）１１０４上の２つのモデム１１０５ａ〜ｂからの同期メッセージを伴うシナリオを示す呼フロー図である。ユーザ機器（ＵＥ）１１０４は、アプリケーションプロセッサ１１３９と、ＬＴＥ／ＥＨＲＰＤ／ＥＶＤＯ接続性を提供する第１のモデム１１０５ａと、１ｘ／ＩＳ９５接続性を提供する第２のモデム１１０５ｂとを含み得る。ユーザ機器（ＵＥ）１１０４はネットワークと通信し得る。ネットワークは、エボリューションデータ最適化（ＥＶＤＯ）無線アクセスネットワーク（ＲＡＮ）１１２２と、１ｘ基地局１１２１と、パケットデータサービスノード（ＰＤＳＮ）１１３２と、ホームエージェント（ＨＡ）１１３１とを含み得る。時間ｔ1で、ユーザ機器（ＵＥ）１１０４は、１ｘエアインターフェース接続性のみを有するカバレージエリア内にあり得る。１ｘを介した第２のモデム１１０５ｂにより、データ呼１１５１がセットアップされ得る。次いで、ユーザ機器（ＵＥ）１１０４は、１ｘ専用カバレージエリアから、エボリューションデータ最適化（ＥＶＤＯ）と１ｘエアインターフェース接続性の両方を有するカバレージエリアに移動し得る。時間ｔ2で、第１のモデム１１０５ａは、１１５２で、アプリケーションプロセッサ１１３９上のオペレーティングシステム（ＯＳ）にエボリューションデータ最適化（ＥＶＤＯ）接続性をレポートすることができる。時間ｔ3で、アプリケーションプロセッサ１１３９上のオペレーティングシステム（ＯＳ）は、１１５３で、第２のモデム１１０５ｂに、１ｘエアインターフェースを介したデータ呼を切断するようシグナリングすることができる。時間ｔ4で、オペレーティングシステム（ＯＳ）は、１１５４で、第１のモデム１１０５ａに、エボリューションデータ最適化（ＥＶＤＯ）エアインターフェース１０６を介したデータ呼を立ち上げるようシグナリングすることができる。
【００７０】
時間ｔ4で、第２のモデム１１０５ｂは、１ｘエアインターフェースを介した既存のデータ呼を切断するよう、直ちに作用しなくてもよい。第２のモデム１１０５ｂは、代わりに、第１のモデム１１０５ａに、第１のモデム１１０５ａのデータ呼状態２０７を判定するよう問い合わせることができる。第１のモデム１１０５ａのデータ呼状態２０７が「データ呼なし」以外である場合、第２のモデム１１０５ｂは、それ以上のいかなるアクションもとらなくてよい。ただし、第１のモデム１１０５ａが「データ呼なし」状態にある場合、第２のモデム１１０５ｂは、そのデータ呼状態２０７を「１ｘを介したデータ呼が切断中」に変更し、データ呼状態２０７の変更をシグナリングするためにイベントを生成することができる（図示せず）。第２のモデム１１０５ｂは、ＷａｉｔＦｏｒＧｒａｃｅｆｕｌＴｅｒｍｉｎａｔｉｏｎタイマー２０８も始動し得る。ＷａｉｔＦｏｒＧｒａｃｅｆｕｌＴｅｒｍｉｎａｔｉｏｎタイマー２０８は、１ｘデータ呼が切断されるのを第２のモデム１１０５ｂが無期限に待つのを防止するためのフェイルセーフ機構であり得る。第２のモデム１１０５ｂは次いで、ホームエージェント（ＨＡ）１１３１とＭＩＰ登録解除要求１１６８／応答メッセージを交換することによって、ホームエージェント（ＨＡ）とのＭＩＰ登録解除を正常に完了し得る。第１のモデム１１０５ａは、１１６９で、パケットデータサービスノード（ＰＤＳＮ）１１３２とのポイントツーポイントプロトコル（ＰＰＰ）接続を確立する前に、第２のモデム１１０５ｂからの、データ呼状態が「データ呼なし」であることを示すイベント１１７３を、またはＷａｉｔＦｏｒＯｔｈｅｒＭｏｄｅｍＴｏＴｅｒｍｉｎａｔｅタイマー２０９が終了するのを待てばよい。
【００７１】
時間ｔ5で、ＭＩＰ接続の正常切断１１７０が起こる。次いで、時間ｔ6で、第２のモデム１１０５ｂは、パケットデータサービスノード（ＰＤＳＮ）１１３２にポイントツーポイントプロトコル（ＰＰＰ）リンク制御プロトコル（ＬＣＰ）／Ｔｅｒｍ要求１１７１を送り、パケットデータサービスノード（ＰＤＳＮ）１１３２から確認応答を受信することによって、パケットデータサービスノード（ＰＤＳＮ）１１３２とのポイントツーポイントプロトコル（ＰＰＰ）接続を正常に終了し得る。時間ｔ7で、第２のモデム１１０５ｂとパケットデータサービスノード（ＰＤＳＮ）１１３２との間のポイントツーポイントプロトコル（ＰＰＰ）接続の正常切断１１７２が完了し得る。
【００７２】
時間ｔ8で、第２のモデム１１０５ｂが、ＭＩＰ登録解除を完了し、パケットデータサービスノード（ＰＤＳＮ）１１３２とのポイントツーポイントプロトコル（ＰＰＰ）接続を終了した後、第２のモデム１１０５ｂは、そのデータ呼状態２０７を「データ呼なし」に変更し、データ呼状態２０７の変更を第１のモデム１１０５ａにシグナリングするためにイベント１１７３を生成することができる。あるいは、ＷａｉｔＦｏｒＧｒａｃｅｆｕｌＴｅｒｍｉｎａｔｉｏｎタイマー２０８が最初に終了し得る。第２のモデム１１０５ｂは次いで、そのデータ呼状態２０７を「データ呼なし」に自動的に変更し、データ呼状態２０７の変更を第１のモデム１１０５ａにシグナリングするためにイベント１１７３を生成することができる。データ呼状態２０７を「データ呼なし」に変更すると、第２のモデム１１０５ｂは、データ呼に関連付けられた内部ソフトウェアリソースを解放することができる。
【００７３】
１つの構成では、第１のモデム１１０５ａは、１１６９で、エボリューションデータ最適化（ＥＶＤＯ）を介したデータ呼を確立するためにアクションをとるのに先立って、第２のモデム１１０５ｂからのいくつかのイベント１１７３を待てばよい。たとえば、第１のモデム１１０５ａは、第２のモデム１１０５ｂからの、「Ｘを介したデータ呼が切断中」および「データ呼なし」というイベントを待てばよい。さらに、第１のモデム１１０５ａは、ＷａｉｔＦｏｒＯｔｈｅｒＭｏｄｅｍＴｏＴｅｒｍｉｎａｔｅタイマー２０９を始動し得る。ＷａｉｔＦｏｒＯｔｈｅｒＭｏｄｅｍＴｏＴｅｒｍｉｎａｔｅタイマー２０９は、第２のモデム１１０５ｂがそのデータ呼状態２０７を「データ呼なし」に変更するのを第１のモデム１１０５ａが無期限に待つことがないようにするためのフェイルセーフであり得る。
【００７４】
時間ｔ8で、第１のモデム１１０５ａは、第２のモデム１１０５ｂから、「データ呼なし」というイベント１１７３を受信し得る（あるいは、ＷａｉｔＦｏｒＯｔｈｅｒＭｏｄｅｍＴｏＴｅｒｍｉｎａｔｅタイマー２０９が終了し得る）。第１のモデム１１０５ａは、エボリューションデータ最適化（ＥＶＤＯ）を介したデータ呼の開始に着手することができる。第１のモデム１１０５ａは、そのデータ呼状態２０７を「エボリューションデータ最適化（ＥＶＤＯ）を介したデータ呼を立ち上げ中」に変更し、データ呼状態２０７の変更を第２のモデム１１０５ｂにシグナリングするイベント（図示せず）を生成することができる。次いで、時間ｔ9で、第１のモデム１１０５ａは、エボリューションデータ最適化（ＥＶＤＯ）無線アクセスネットワーク（ＲＡＮ）１１２２を介して、ポイントツーポイントプロトコル（ＰＰＰ）リンク制御プロトコル（ＬＣＰ）Ｃｏｎｆｉｇ−Ｒｅｑ１１７９、認証およびインターネットプロトコル制御プロトコル（ＩＰＣＰ）メッセージを交換することによって、パケットデータサービスノード（ＰＤＳＮ）１１３２とのポイントツーポイントプロトコル（ＰＰＰ）交渉を始動することができる。時間ｔ10で、第１のモデム１１０５ａとパケットデータサービスノード（ＰＤＳＮ）１１３２との間のポイントツーポイントプロトコル（ＰＰＰ）接続が、１１７５で確立され得る。次いで、時間ｔ11で、第１のモデム１１０５ａは、ホームエージェント（ＨＡ）１１３１にＭＩＰ登録要求メッセージ１１７６を送り、ホームエージェント（ＨＡ）１１３１から応答メッセージを受信することによって、ホームエージェント（ＨＡ）１１３１とのＭＩＰ呼をセットアップすることができる。時間ｔ12で、ＭＩＰが１１７７で確立されているとき、第１のモデム１１０５ａは、そのデータ呼状態２０７を「エボリューションデータ最適化（ＥＶＤＯ）を介したデータ呼が確立済み」に変更すればよい。第１のモデム１１０５ａは、新規データ呼状態２０７を第２のモデム１１０５ｂにシグナリングするためのイベント（図示せず）も生成し得る。
【００７５】
図１１は、図５Ａに示す第１のシナリオ５４３ａに特有である。図５Ｂに示す第２のシナリオ５４３ｂでは、ユーザ機器（ＵＥ）１１０４は、１ｘ専用カバレージのエリア５４０から、エボリューションデータ最適化（ＥＶＤＯ）専用カバレージのエリア５４２に移動し得る。第２のモデム１１０５ｂは、無線カバレージがないので、ポイントツーポイントプロトコル（ＰＰＰ）とＭＩＰとを正常に切断するためのポイントツーポイントプロトコル（ＰＰＰ）またはＭＩＰメッセージをオーバージエアで送ることができない場合がある。したがって、第１のモデム１１０５ａ上で、ＷａｉｔＦｏｒＯｔｈｅｒＭｏｄｅｍＴｏＴｅｒｍｉｎａｔｅタイマー２０９が終了し得る。１つの構成では、第１のモデム１１０５ａは、第２のモデム１１０５ｂが無線カバレージをもたず、オーバージエア（ＯＴＡ）メッセージを送ることができないことを発見し得る。それゆえ、第１のモデム１１０５ａは、ＷａｉｔＦｏｒＯｔｈｅｒＭｏｄｅｍＴｏＴｅｒｍｉｎａｔｅタイマー２０９が終了するのを待つ必要はなくてよい。
【００７６】
図５Ｃに示す第３のシナリオ５４３ｃでは、ユーザ機器（ＵＥ）１１０４は、エボリューションデータ最適化（ＥＶＤＯ）専用カバレージのエリア５４２から、１ｘ専用カバレージのエリア５４０に移動し得る。このシナリオでは、第１のモデム１１０５ａおよび第２のモデム１１０５ｂの役割が入れ替わる。第１のモデム１１０５ａは、無線カバレージがないので、ポイントツーポイントプロトコル（ＰＰＰ）とＭＩＰとを正常に切断するためのポイントツーポイントプロトコル（ＰＰＰ）またはＭＩＰメッセージをオーバージエアで送ることができない。それゆえ、第２のモデム１１０５ｂ上のＷａｉｔＦｏｒＯｔｈｅｒＭｏｄｅｍＴｏＴｅｒｍｉｎａｔｅタイマー２０９が終了し得る。
【００７７】
図５Ｄに示す第４のシナリオ５４３ｄでは、ユーザ機器（ＵＥ）１１０４は、エボリューションデータ最適化（ＥＶＤＯ）専用カバレージのエリア５４２から、エボリューションデータ最適化（ＥＶＤＯ）と１ｘの両方のカバレージのエリア５４１に移動し得る。このシナリオでは、アプリケーションプロセッサ１１３９上のオペレーティングシステム（ＯＳ）が、エボリューションデータ最適化（ＥＶＤＯ）を介した既存のデータ接続を保持し得るので、エボリューションデータ最適化（ＥＶＤＯ）接続を切断し、１ｘ接続を確立するための上記手順を実行することはできない。エボリューションデータ最適化（ＥＶＤＯ）エアインターフェース１０６は、１ｘエアインターフェースよりも良好なデータレートを提供し得るので、接続を切断する理由は何もない。
【００７８】
図５Ｅに示す第５のシナリオ５４３ｅでは、ユーザ機器（ＵＥ）１１０４は、エボリューションデータ最適化（ＥＶＤＯ）と１ｘの両方のカバレージのエリア５４１から、１ｘのみのカバレージのエリア５４０に移動し得る。これは、上記手順の結果に関して、図５Ｃに示す第３のシナリオ５４３ｃと同様である。エボリューションデータ最適化（ＥＶＤＯ）を介したデータ呼は、切断され、１ｘを介して新規データ呼が確立され得る。第１のモデム１１０５ａは、無線カバレージがある可能性がないので、ポイントツーポイントプロトコル（ＰＰＰ）とＭＩＰとを正常に切断するためにポイントツーポイントプロトコル（ＰＰＰ）またはＭＩＰメッセージをオーバージエアで送ることができない場合がある。それゆえ、第２のモデム１１０５ｂ上のＷａｉｔＦｏｒＯｔｈｅｒＭｏｄｅｍＴｏＴｅｒｍｉｎａｔｅタイマー２０９が終了し得る。１つの構成では、第２のモデム１１０５ｂは、第１のモデム１１０５ａがカバレージを損失し、オーバージエアでメッセージを送ることができないことを発見し得るので、第２のモデム１１０５ｂは、ＷａｉｔＦｏｒＯｔｈｅｒＭｏｄｅｍＴｏＴｅｒｍｉｎａｔｅタイマー２０９が終了するのを待たないようにすることが可能になる。
【００７９】
図５Ｆに示す第６のシナリオ５４３ｆでは、ユーザ機器（ＵＥ）１１０４は、エボリューションデータ最適化（ＥＶＤＯ）と１ｘの両方のカバレージのエリア５４１から、エボリューションデータ最適化（ＥＶＤＯ）のみのカバレージのエリア５４２に移動し得る。ここで、アプリケーションプロセッサ１１３９上のオペレーティングシステム（ＯＳ）は、エボリューションデータ最適化（ＥＶＤＯ）エアインターフェース１０６を介した既存のデータ接続を保持し得るので、上記手順は実行することができない。
【００８０】
図１２は、モデム間調整のための別の方法１２００を示すフロー図である。方法１２００は、ユーザ機器（ＵＥ）１０４上の第１のモデム１０５ａおよび第２のモデム１０５ｂによって実施され得る。ユーザ機器（ＵＥ）１０４は、１２０２で、第１のモデム１０５ａによって提供される第１のエアインターフェース１０６ａを使用する第１のネットワークカバレージエリア内のネットワークへのデータ接続を確立することができる。ユーザ機器（ＵＥ）１０４は、次いで、１２０４で、第２のモデム１０５ｂによって提供される第２のエアインターフェース１０６ｂで第２のネットワークカバレージエリアを検出することができる。
【００８１】
ユーザ機器（ＵＥ）１０４は、１２０６で、第１のモデム１０５ａが依然として無線カバレージをもっているかどうか判定することができる。第１のモデム１０５ａが依然として無線カバレージをもっていない場合、ユーザ機器（ＵＥ）１０４は、１２１２で、第２のモデム１０５ｂを使用する第２のエアインターフェース１０６ｂを介したデータ呼を確立することができる。方法１２００は次いで、終わり得る。第１のモデム１０５ａが無線カバレージを依然としてもっている場合、ユーザ機器（ＵＥ）１０４は、１２０８で、第２のモデム１０５ｂとのデータ呼が、現在のデータ接続よりも良好なデータサービスを提供するかどうか判定することができる。１つの構成では、ユーザ機器（ＵＥ）１０４は、テーブル（たとえば、ルックアップテーブル）を使って、１２０８で、第２のモデム１０５ｂとのデータ呼が現在のデータ接続よりも良好なデータサービスを提供するかどうか判定することができる。第２のモデム１０５ｂとのデータ呼が、現在のデータ接続よりも良好なデータサービスを提供しない場合、ユーザ機器（ＵＥ）１０４は、１２１０で、第１のモデム１０５ａによって提供される第１の無線エアインターフェース１０６ａを使用するネットワークへの現在のデータ接続を続けることができる。
【００８２】
第２のモデム１０５ｂとのデータ呼が、現在のデータ接続よりも良好なデータサービスを提供する場合、第１のモデム１０５ａは、１２１４で、第１のモデム１０５ａを介した現在のデータ接続を切断してよい。第１のモデム１０５ａは、１２１６で、第１のモデム１０５ａのデータ呼状態２０７を「データ呼なし」に変更することもできる。第１のモデム１０５ａはさらに、１２１８で、切断されたデータ接続に関連付けられた内部ソフトウェアリソースを解放してよい。第１のモデム１０５ａが方法ステップ１２１４〜１２１８を実施している間、第２のモデム１０５ｂは、１２１２で、第２のモデム１０５ｂを使用する第２のエアインターフェース１０６ｂを介したデータ呼を確立し得る。方法１２００は次いで、終わり得る。
【００８３】
図１３は、時間調整されていない、ユーザ機器（ＵＥ）１３０４上の２つのモデム１３０５ａ〜ｂからの通信を伴うシナリオを示す呼フロー図である。この構成において、ユーザ機器（ＵＥ）１３０４上の第１のモデム１３０５ａおよび第２のモデム１３０５ｂは、モデムのアクションを調整する必要はなくてよく、これは、ネットワークが何らかの形で振る舞うからである。
【００８４】
一例として、ネットワークが、１ｘおよびエボリューションデータ最適化（ＥＶＤＯ）用に異なるパケットデータサービスノード（ＰＤＳＮ）を利用するとき、パケットデータサービスノード（ＰＤＳＮ）は、一方または両方のモデム１３０５から、ポイントツーポイントプロトコル（ＰＰＰ）終了要求を受信することができないので、各パケットデータサービスノード（ＰＤＳＮ）は、ポイントツーポイントプロトコル（ＰＰＰ）接続用の不活動のタイマーを維持することができる。あるいは、１ｘとエボリューションデータ最適化（ＥＶＤＯ）の両方に対して、単一のパケットデータサービスノード（ＰＤＳＮ）１３３２が利用されるとき、パケットデータサービスノード（ＰＤＳＮ）１３３２は、パケットデータサービスノード（ＰＤＳＮ）１３３２が１ｘ基地局１３２１との既存のＡ１０リンク２２５ａを有し、パケットデータサービスノード（ＰＤＳＮ）１３３２がエボリューションデータ最適化（ＥＶＤＯ）無線アクセスネットワーク（ＲＡＮ）１３２２から、同じ国際モバイル加入者識別情報（ＩＭＳＩ）を有するユーザ機器（ＵＥ）１３０４に対する、ポイントツーポイントプロトコル（ＰＰＰ）をセットアップするために新規Ａ１０確立要求を受信したとき、ユーザ機器（ＵＥ）１３０４との既存のポイントツーポイントプロトコル（ＰＰＰ）接続を終了してよい。さらに、ホームエージェント（ＨＡ）１３３１が、同じＩＭＳＩを有する同じユーザ機器（ＵＥ）１３０４に対する、別の外部エージェント（ＦＡ）を介した別のＭＩＰ登録要求を受信した場合、ホームエージェント（ＨＡ）１３３１は、ある外部エージェント（ＦＡ）を介したユーザ機器（ＵＥ）１３０４との既存のＭＩＰ登録を終了してよい。
【００８５】
ユーザ機器（ＵＥ）１３０４は、アプリケーションプロセッサ１３３９と、ＬＴＥ／ＥＨＲＰＤ／ＥＶＤＯ接続性を提供する第１のモデム１３０５ａと、１ｘ／ＩＳ９５接続性を提供する第２のモデム１３０５ｂとを含み得る。ネットワークは、エボリューションデータ最適化（ＥＶＤＯ）無線アクセスネットワーク（ＲＡＮ）１３２２と、１ｘ基地局１３２１と、パケットデータサービスノード（ＰＤＳＮ）１３３２と、ホームエージェント（ＨＡ）１３３１とを含み得る。時間ｔ1で、ユーザ機器（ＵＥ）１３０４は、１ｘエアインターフェース接続性のみを有するカバレージエリア５４０内にあり得る。第２のモデム１３０５ｂ、１ｘ基地局１３２１およびパケットデータサービスノード（ＰＤＳＮ）１３３２により、１ｘエアインターフェースを介してデータ呼１３５１が確立され得る。次いで、ユーザ機器（ＵＥ）１３０４は、１ｘのみのカバレージのエリア５４０から、エボリューションデータ最適化（ＥＶＤＯ）と１ｘの両方のカバレージのエリア５４１に移動し得る。時間ｔ2で、第１のモデム１３０５ａは、１３５２で、アプリケーションプロセッサ１３３９上のオペレーティングシステム（ＯＳ）にエボリューションデータ最適化（ＥＶＤＯ）接続性をレポートすることができる。時間ｔ3で、アプリケーションプロセッサ１３３９上のオペレーティングシステム（ＯＳ）は、１３５３で、第２のモデム１３０５ｂに、１ｘエアインターフェースを介したデータ呼を切断するようシグナリングすることができる。時間ｔ4で、アプリケーションプロセッサ１３３９は、１３５４で、第１のモデム１３０５ａに、エボリューションデータ最適化（ＥＶＤＯ）エアインターフェース１０６を介したデータ呼を立ち上げるようシグナリングすることができる。
【００８６】
第２のモデム１３０５ｂは、直ちに、１３７８で、１ｘを介した既存のデータ呼を、ユーザ機器（ＵＥ）１３０４上でローカルに切断またはクリーンアップするように作用してよく、パケットデータサービスノード（ＰＤＳＮ）１３３２にオーバージエアメッセージを送らなくてよい。第２のモデム１３０５ｂは、自モデムがＭＩＰ登録解除されたと考え得るが、ホームエージェント（ＨＡ）１３３１とＭＩＰメッセージを交換しなくてよい。第２のモデム１３０５ｂは、ポイントツーポイントプロトコル（ＰＰＰ）が終了されたとも考え得るが、パケットデータサービスノード（ＰＤＳＮ）１３３２とポイントツーポイントプロトコル（ＰＰＰ）メッセージを交換しなくてよい。時間ｔ5で、第２のモデム１３０５ｂは、そのデータ呼状態２０７を「データ呼なし」に変更し、データ呼状態２０７の変更を第１のモデム１３０５ａに通知するためにイベント１３７３を生成することができる。第２のモデム１３０５ｂは次いで、データ呼に関連付けられた内部ソフトウェアリソースを解放してよい。
【００８７】
第２のモデム１３０５ｂのアクションと並行して、第１のモデム１３０５ａは、エボリューションデータ最適化（ＥＶＤＯ）エアインターフェース１０６を介したデータ呼を直ちに確立し得る。時間ｔ6で、第１のモデム１３０５ａは、パケットデータサービスノード（ＰＤＳＮ）１３３２と、ポイントツーポイントプロトコル（ＰＰＰ）リンク制御プロトコル（ＬＣＰ）Ｃｏｎｆｉｇ−Ｒｅｑ１３７４、認証およびＩＰＣＰメッセージを交換することによって、ポイントツーポイントプロトコル（ＰＰＰ）接続を交渉することができる。ポイントツーポイントプロトコル（ＰＰＰ）接続は、時間ｔ7で、１３７５において確立され得る。ＰＤＳＮは、１３７９で、ユーザ機器（ＵＥ）１３０４との古いポイントツーポイントプロトコル（ＰＰＰ）接続を削除し、新規ポイントツーポイントプロトコル（ＰＰＰ）接続の確立を始動することができる。次いで、時間ｔ8で、第１のモデム１３０５ａは、ホームエージェント（ＨＡ）１３３１にＭＩＰ登録要求メッセージ１３７６を送り、ホームエージェント（ＨＡ）１３３１から応答メッセージを受信することができる。ホームエージェント（ＨＡ）１３３１は、１３８０で、ユーザ機器（ＵＥ）１３０４との古いＭＩＰ登録を削除し、ユーザ機器（ＵＥ）１３０４との新規ＭＩＰ登録を確立することができる。時間ｔ9で、第１のモデム１３０５ａとホームエージェント（ＨＡ）１３３１との間で、ＭＩＰ接続が１３７７で確立され得る。
【００８８】
図１３の手順は、第２のモデム１３０５ｂ上の１ｘエアインターフェース１０６と、第１のモデム１３０５ａ上のエボリューションデータ最適化（ＥＶＤＯ）エアインターフェース１０６とを有するユーザ機器（ＵＥ）１３０４のコンテキストで記述されている。これらの手順は、同じネットワークノード（たとえば、ゲートウェイやホームエージェント（ＨＡ）１３３１）に接続する２つのエアインターフェース技術を有するどのユーザ機器（ＵＥ）１３０４にも一般化され、拡張され得る。
【００８９】
図１４は、テザー端末１４８１を有するワイヤレス通信システム１４００を示すブロック図である。ワイヤレス通信システム１４００はユーザ機器（ＵＥ）１４０４を含み得る。ユーザ機器（ＵＥ）１４０４は、第１のモデム１４０５ａによって提供されるＬＴＥ／ＥＨＲＰＤ／ＥＶＤＯ／ＵＭＴＳ／ＧＳＭエアインターフェース１０６のカバレージエリア、および第２のモデム１４０５ｂによって提供される１ｘ／ＩＳ９５エアインターフェース１０６のカバレージエリア内にあり得る。ワイヤレス通信システム１４００は、インターネット１４３０への接続性を提供するためにエボリューションデータ最適化（ＥＶＤＯ）無線アクセスネットワーク（ＲＡＮ）１４２２と、エボリューションデータ最適化（ＥＶＤＯ）パケットデータサービスノード（ＰＤＳＮ）／外部エージェント（ＦＡ）１４３２とを含み得る。ワイヤレス通信システム１４００はまた、ＩＳ９５基地局１４２０を含み得る。最初に、テザー端末１４８１（たとえば、ラップトップ）が、ユーザ機器（ＵＥ）１４０４を利用するインターネット１４３０へのアクティブデータ呼接続１４８３を望み得る。テザー端末１４８１は、ＵＳＢ接続またはワイヤレス接続を介してユーザ機器（ＵＥ）１４０４に接続され得る。ユーザ機器（ＵＥ）１４０４上のアプリケーションプロセッサ１４３９上のオペレーティングシステム（ＯＳ）が、第１のモデム１４０５ａに、テザー端末１４８１とインターネット１４３０との間にアクティブデータ呼接続１４８３を確立するよう命令し得る。アクティブデータ呼接続１４８３は、テザー端末１４８１とアプリケーションプロセッサ１４３９との間のＲｍリンク１４８２、第１のモデム１４０５ａ、エボリューションデータ最適化（ＥＶＤＯ）無線アクセスネットワーク（ＲＡＮ）１４２２ならびにエボリューションデータ最適化（ＥＶＤＯ）パケットデータサービスノード（ＰＤＳＮ）／外部エージェント（ＦＡ）１４３２を介して確立され得る。通常は、ユーザ機器（ＵＥ）１４０４とテザー端末１４８１との間にはただ１つのリンクがあり、本明細書ではＲｍリンク１４８２と呼ばれることに留意されたい。
【００９０】
エボリューションデータ最適化（ＥＶＤＯ）無線アクセスネットワーク（ＲＡＮ）１４２２は、エボリューションデータ最適化（ＥＶＤＯ）パケットデータサービスノード（ＰＤＳＮ）／外部エージェント（ＦＡ）１４３２へのＡ１０接続１４２６を利用することができ、ＰＤＳＮ／ＦＡ１４３２は、インターネット１４３０に接続される。テザー端末１４８１とインターネット１４３０との間の接続は、テザードデータ呼と呼ばれ得る。テザードデータ呼がアクティブである間、ネットワークは、モバイル着信ＩＳ９５回線交換テザードデータ呼またはファックスについて、１４８４で、ユーザ機器（ＵＥ）１４０４をページングすることができる。ユーザ機器（ＵＥ）１４０４がＩＳ９５ページ１４８４に回答すると、既存のアクティブデータ呼接続１４８３を切断することができ、そうすることによって第２のモデム１４０５ｂがＲｍリンク１４８２を使用することができる。この結果、既存のテザードデータ呼が終了されることになり得る。
【００９１】
１つの構成では、第１のモデム１４０５ａと第２のモデム１４０５ｂとの間のモデム間通信は、ユーザ機器（ＵＥ）１４０４がデュアルカバレージエリア内にあり、ネットワークが別のエアインターフェース１０６を介してユーザ機器（ＵＥ）１４０４をページングしたとき、アクティブデータ呼接続１４８３が終了されるのを防止するのに利用され得る。エボリューションデータ最適化（ＥＶＤＯ）およびＩＳ９５エアインターフェース１０６は、限定ではなく説明のために使われている。
【００９２】
ページ１４８４に回答する前に、回線交換データ呼またはファックスについてのＩＳ９５ページ１４８４が第２のモデム１４０５ｂによって受信されると、第２のモデム１４０５ｂは、第１のモデム１４０５ａのデータ呼状態２０７を判定するために、第１のモデム１４０５ａに問い合わせることができる。第１のモデム１４０５ａのデータ呼状態２０７が「データ呼なし」であるとき、第２のモデム１４０５ｂは、ＩＳ９５ページ１４８４に回答し、受諾することができる。さらに、Ｒｍリンク１４８２上の、アプリケーションプロセッサ１４３９を介した、テザー端末１４８１とのテザード回線交換データ呼またはファックスがセットアップ（確立）され得る。
【００９３】
第１のモデム１４０５ａのデータ呼状態２０７が、「データ呼なし」以外の任意のデータ呼状態２０７であるとき、第２のモデム１４０５ｂは、第１のモデム１４０５ａ上でのデータ呼のタイプを判定することができる。第１のモデム１４０５ａ上でのデータ呼のタイプが「テザード」であるとき、別のエアインターフェース１０６を介したデータ呼がＲｍリンク１４８２を使用している可能性があるので、第２のモデム１４０５ｂは、ＩＳ９５ページ１４８４を拒否してよい。第１のモデム１４０５ａ上でのデータ呼のタイプが「埋込み」であるとき、第２のモデム１４０５ｂは、ＩＳ９５ページ１４８４に回答し、受諾することができる。さらに、Ｒｍリンク１４８２上での、アプリケーションプロセッサ１４３９を介した、テザー端末１４８１とのテザード回線交換データ呼またはファックスがセットアップ（確立）され得る。本明細書で使用する「埋込み」という用語は、データ接続を使用するアプリケーションが、ユーザ機器（ＵＥ）１４０４に接続されたラップトップなどの外部デバイス上ではなく、ユーザ機器（ＵＥ）１４０４上で稼動していることを意味する。結果として、エボリューションデータ最適化（ＥＶＤＯ）エアインターフェース１０６上の同時埋込みデータ呼およびＩＳ９５エアインターフェース上のテザード回線交換データ呼またはファックスは、両方ともサポートされ得る。
【００９４】
図１５は、テザー端末１４８１とインターネット１４３０との間のデータ接続が確立されたときのモデム間通信のための方法１５００のフロー図である。方法１５００は、ユーザ機器（ＵＥ）１４０４によって実行され得る。ユーザ機器（ＵＥ）１４０４は、第１のモデム１４０５ａと第２のモデム１４０５ｂとを含み得る。第１のモデム１４０５ａおよび第２のモデム１４０５ｂは、それぞれ、異なるエアインターフェース１０６をサポートし得る。たとえば、第１のモデム１４０５ａは、ＬＴＥ／ＥＨＲＰＤ／ＥＶＤＯ／ＵＭＴＳ／ＧＳＭエアインターフェース１０６をサポートすることができ、第２のモデム１４０５ｂは、１ｘ／ＩＳ９５エアインターフェース１０６をサポートする。ユーザ機器（ＵＥ）１４０４は、１５０２で、第１のモデム１４０５ａを使用する第１のエアインターフェース１０６ａ上で、テザー端末１４８１とインターネット１４３０との間のデータ接続を確立することができる。ユーザ機器（ＵＥ）１４０４は次いで、１５０４で、第２のモデム１４０５ｂを使用する第２のエアインターフェース１０６ｂ上で、ネットワークからのメッセージの通知を受信し得る。
【００９５】
第２のモデム１４０５ｂは、１５０６で、第１のモデム１４０５ａのデータ呼状態２０７を判定することができる。図６および図７に関連して上述したように、第２のモデム１４０５ｂは、イベントベースのモデム間通信または問合せおよび応答モデム間通信を使って、第１のモデム１４０５ａのデータ呼状態２０７を判定することができる。第２のモデム１４０５ｂは次いで、１５０８で、第１のモデム１４０５ａのデータ呼状態２０７が「データ呼なし」であるかどうか判定することができる。第１のモデム１４０５ａのデータ呼状態２０７が「データ呼なし」である場合、ユーザ機器（ＵＥ）１４０４は、１５１４で、第２のモデム１４０５ｂを使用する第２のエアインターフェース１０６ｂを介して、メッセージを受信することができる。
【００９６】
第１のモデム１４０５ａのデータ呼状態２０７が「データ呼なし」ではない（したがって、第１のモデム１４０５ａがデータ呼を有する）場合、第２のモデム１４０５ｂは、１５１０で、第１のモデム１４０５ａの呼タイプ２１０を判定することができる。第２のモデム１４０５ｂは、１５１２で、第１のモデム１４０５ａの呼タイプ２１０が埋込みであるかどうか判定することができる。呼タイプ２１０が埋込みではない場合、呼タイプはテザードであり得る。第１のモデム１４０５ａの呼タイプ２１０が埋込みではない（したがってテザードである）場合、ユーザ機器（ＵＥ）１４０４は、１５１６で、第２のエアインターフェース１０６ｂを介してメッセージを拒否してよい。第１のモデム１４０５ａの呼タイプ２１０が埋込みである場合、ユーザ機器（ＵＥ）１４０４は、１５１４で、第２のモデム１４０５ｂを使用する第２のエアインターフェース１０６ｂを介してメッセージを受信することができる。
【００９７】
図１６は、呼スロットリングが使われるときのモデム間通信のためのシナリオを示す呼フロー図である。データ呼を確立するために試行が、ある特定の回数を失敗した後、データ呼を試みているモデム１６０５は、スロットル状態に入り得る。個々のモデム１６０５に関するスロットリング状態の実施態様は、様々な公知の技術によって行われ得る。
【００９８】
ユーザ機器（ＵＥ）１６０４は、アプリケーションプロセッサ１６３９と、ＬＴＥ／ＥＨＲＰＤ／ＥＶＤＯ接続性を提供する第１のモデム１６０５ａと、１ｘ／ＩＳ９５接続性を提供する第２のモデム１６０５ｂとを含み得る。ネットワークは、エボリューションデータ最適化（ＥＶＤＯ）無線アクセスネットワーク（ＲＡＮ）１６２２と、１ｘ基地局１６２１と、パケットデータサービスノード（ＰＤＳＮ）１６３２とを含み得る。ユーザ機器（ＵＥ）１６０４は最初に、２つのエアインターフェース１０６（たとえば、エボリューションデータ最適化（ＥＶＤＯ）および１ｘ）を介して使用可能な接続性を有するデュアルカバレージエリアにあり得る。時間ｔ1で、第２のモデム１６０５ｂは、１６８５で、アプリケーションプロセッサ１６３９上のオペレーティングシステム（ＯＳ）に１ｘ接続性をレポートすることができる。時間ｔ2で、第１のモデム１６０５ａは、１６５２で、オペレーティングシステム（ＯＳ）にエボリューションデータ最適化（ＥＶＤＯ）接続性をレポートすることができる。時間ｔ1およびｔ2は、実質的に同じ時間であり得ることに留意されたい。オペレーティングシステム（ＯＳ）は、エボリューションデータ最適化（ＥＶＤＯ）が好適であると判定し、１６５４ａで、第１のモデム１６０５ａに、時間ｔ3で、エボリューションデータ最適化（ＥＶＤＯ）接続を確立するよう命令することができる。
【００９９】
時間ｔ4で、第１のモデム１６０５ａは、ポイントツーポイントプロトコル（ＰＰＰ）リンク制御プロトコル（ＬＣＰ）構成要求メッセージ１６７４をパケットデータサービスノード（ＰＤＳＮ）１６３２に送ることができる。ただし、パケットデータサービスノード（ＰＤＳＮ）１６３２は、１６８６ａで、ポイントツーポイントプロトコル（ＰＰＰ）をセットアップすることができない場合がある。これは、ネットワーク輻輳の結果であり得る。時間ｔ5で、第１のモデム１６０５ａは、ポイントツーポイントプロトコル（ＰＰＰ）リンク制御プロトコル（ＬＣＰ）構成要求再試行メッセージ１６８７ａをパケットデータサービスノード（ＰＤＳＮ）１６３２に送ることによって、接続の確立を再度試みることができる。パケットデータサービスノード（ＰＤＳＮ）１６３２は依然として、ポイントツーポイントプロトコル（ＰＰＰ）接続をセットアップすることができない場合がある。時間ｔ6で、第１のモデム１６０５ａは、ポイントツーポイントプロトコル（ＰＰＰ）リンク制御プロトコル（ＬＣＰ）Ｃｏｎｆｉｇ−Ｒｅｑ再試行メッセージ１６８７ｂをパケットデータサービスノード（ＰＤＳＮ）１６３２に再度送ることができる。パケットデータサービスノード（ＰＤＳＮ）１６３２は依然として、ポイントツーポイントプロトコル（ＰＰＰ）接続をセットアップすることができない場合がある。時間ｔ7で、第１のモデム１６０５ａは、１６８８ａで、データ呼を確立することができなかったことをアプリケーションプロセッサ１６３９にシグナリングすることができる。
【０１００】
時間ｔ8で、アプリケーションプロセッサ１６３９は、１６５４ｂで、第１のモデム１６０５ａに、エボリューションデータ最適化（ＥＶＤＯ）を介したデータ呼を確立するよう再度命令することができる。時間ｔ9で、第１のモデム１６０５ａは、ポイントツーポイントプロトコル（ＰＰＰ）リンク制御プロトコル（ＬＣＰ）構成要求メッセージ１６８７ｃをパケットデータサービスノード（ＰＤＳＮ）１６３２に送ることができる。ただし、パケットデータサービスノード（ＰＤＳＮ）１６３２は、１６８６ｂで、ポイントツーポイントプロトコル（ＰＰＰ）をセットアップすることができない場合がある。時間ｔ10で、第１のモデム１６０５ａは、ポイントツーポイントプロトコル（ＰＰＰ）リンク制御プロトコル（ＬＣＰ）構成要求再試行メッセージ１６８７ｄをパケットデータサービスノード（ＰＤＳＮ）１６３２に送ることによって、接続の確立を再度試みることができる。パケットデータサービスノード（ＰＤＳＮ）１６３２は依然として、ポイントツーポイントプロトコル（ＰＰＰ）接続をセットアップすることができない場合がある。時間ｔ11で、第１のモデム１６０５ａは、ポイントツーポイントプロトコル（ＰＰＰ）リンク制御プロトコル（ＬＣＰ）Ｃｏｎｆｉｇ−Ｒｅｑ再試行メッセージ１６８７ｅをパケットデータサービスノード（ＰＤＳＮ）１６３２にさらにもう一度送ることができる。パケットデータサービスノード（ＰＤＳＮ）１６３２は依然として、ポイントツーポイントプロトコル（ＰＰＰ）接続をセットアップすることができない場合がある。
【０１０１】
時間ｔ12で、第１のモデム１６０５ａは、１６８８ｂで、データ呼を確立することができなかったことをアプリケーションプロセッサ１６３９にシグナリングすることができる。この時、ユーザ機器（ＵＥ）１６０４は、１６８９で、呼スロットル状態に入り得る。ネットワークによって呼確立要求が拒絶されたとき、モデム１６０５を用いた、スロットリングに関連した手順が効力を生じ得ることを諒解されたい。そのような手順は、様々な公知の技術によって実装され得る。呼スロットル状態にある間、ユーザ機器（ＵＥ）１６０４は、ネットワークにさらなるデータ呼セットアップメッセージを送るのを、一定の期間控えればよい。
【０１０２】
時間ｔ13で、アプリケーションプロセッサ１６３９は、１６５４ｃで、第１のモデム１６０５ａに、エボリューションデータ最適化（ＥＶＤＯ）を介したデータ呼を確立するよう指令することができる。時間ｔ14で、第１のモデム１６０５ａは、１６９０で、呼スロットル状態にあることをアプリケーションプロセッサ１６３９にシグナリングすることができる。時間ｔ15で、ユーザ機器（ＵＥ）１６０４は、１ｘ専用カバレージエリア５４０に入り得る。第１のモデム１６０５ａは、１６９１で、エボリューションデータ最適化（ＥＶＤＯ）接続性が失われたことをオペレーティングシステム（ＯＳ）にレポートすることができる。第２のモデム１６０５ｂは、１６９４で、オペレーティングシステム（ＯＳ）に、時間ｔ16で、１ｘ接続性をレポートすることができる。時間ｔ17で、オペレーティングシステム（ＯＳ）は、１６９２で、第２のモデム１６０５ｂに、１ｘデータ呼を確立するよう命令することができる。第１のモデム１６０５ａが呼スロットル状態にあるとしても、第２のモデム１６０５ｂは、呼スロットル状態になくてよい。第２のモデム１６０５ｂは、１６９３で、ユーザ機器（ＵＥ）が呼スロットル状態にあるはずだとしても、１ｘエアインターフェースを介したデータ呼の確立を試みることができる。
【０１０３】
このシナリオにおいて、ネットワークオペレータは、１ｘおよびエボリューションデータ最適化（ＥＶＤＯ）エアインターフェース１０６に対して同じパケットデータサービスノード（ＰＤＳＮ）１６３２を展開することができる。ユーザ機器（ＵＥ）１６０４が、（おそらく、ＩＰまたはポイントツーポイントプロトコル（ＰＰＰ）レベルの故障のせいで）エボリューションデータ最適化（ＥＶＤＯ）に対して呼スロットル状態にあるとき、ユーザ機器（ＵＥ）１６０４は概して、１ｘカバレージエリアに入るとき、１ｘを介したデータ呼を試みるべきではない。各モデム１６０５は、他方のモデム１６０５に、追加状態情報（たとえば、他方のモデムの呼スロットリング状態についての状態情報）を問い合わせることが可能であり得る。この追加情報により、ユーザ機器（ＵＥ）１６０４は、カバレージエリアを変更するとき、呼スロットル状態に留まることが可能になり得る。これについては、エボリューションデータ最適化（ＥＶＤＯ）および１ｘカバレージエリアに関して説明する。
【０１０４】
１ｘ（第２のモデム１６０５ｂ用）またはエボリューションデータ最適化（ＥＶＤＯ）（第１のモデム１６０５ａ用）上でデータ呼を開始する前に、開始側モデム１６０５は、他方のモデム１６０５に、上で論じたデータ呼状態２０７情報に加えて、その呼スロットリング状態情報を問い合わせることができる。他方のモデム１６０５の呼スロットル状態２１２についての情報が「非スロットル」を戻した場合、データ呼の開始は直ちに進行し得る。ただし、他方のモデム１６０５の呼スロットル状態２１２が「スロットル」であり、呼スロットル状態２１２が「無線不具合」に起因しない場合、開始側モデム１６０５は、（ユーザ機器（ＵＥ）１６０４が呼スロットル状態２１２に留まるように）呼スロットル状態２１２に入り、アプリケーションプロセッサ１６３９によって要求されたデータ呼試行を拒否することができる。開始側モデム１６０５は、試行カウンタ２１３に、同じ回数のデータ呼試行を保持することができ、他方のモデム１６０５が中止したスロットリングタイマー２１４を維持することができる。
【０１０５】
１ｘエアインターフェース１０６が第２のモデム１６０５ｂ上にあり、エボリューションデータ最適化（ＥＶＤＯ）エアインターフェース１０６が第１のモデム１６０５ａ上で使用可能であるユーザ機器（ＵＥ）１６０４というコンテキストで、スロットル状態ソリューションについて上述したが、このソリューションは、同じＩＰコアネットワーク２２９に接続する２つのエアインターフェース技術を有するどのユーザ機器（ＵＥ）１６０４にも拡張することができる。たとえば、発展型高速パケットデータ（ＥＨＲＰＤ）エアインターフェース１０６が第１のモデム１６０５ａ上にあり、Ｌｏｎｇ  Ｔｅｒｍ  Ｅｖｏｌｕｔｉｏｎ（ＬＴＥ）エアインターフェース１０６が第２のモデム１６０５上にあるユーザ機器（ＵＥ）１６０４が使われ得る。
【０１０６】
図１７は、呼スロットリングが使われるときのモデム間通信のための方法１７００のフロー図である。方法１７００は、第１のモデム１０５ａおよび第２のモデム１０５ｂを有するユーザ機器（ＵＥ）１０４によって実施され得る。ユーザ機器（ＵＥ）１０４は、１７０２で、アプリケーションから、第１のモデム１０５ａを使用する第１のエアインターフェース１０６ａ上で、ネットワークを介したデータ呼を確立するために要求を受信し得る。ユーザ機器（ＵＥ）１０４は、１７０４で、第２のモデム１０５ｂの呼スロットル状態２１２を判定することができる。ユーザ機器（ＵＥ）１０４は、１７０６で、第２のモデム１０５ｂが呼スロットル状態にあるかどうか判定することができる。第２のモデム１０５ｂが呼スロットル状態にない場合、ユーザ機器（ＵＥ）１０４は、１７０８で、第１のモデム１０５ａを使用する第１のエアインターフェース１０６ａを介したデータ呼を確立することができる。
【０１０７】
第２のモデム１０５ｂが呼スロットル状態にある場合、ユーザ機器（ＵＥ）１０４は、１７１０で、第２のモデム１０５ｂの呼スロットル状態２１２が無線不具合に起因するかどうか判定することができる。第２のモデム１０５ｂの呼スロットル状態２１２が無線不具合に起因する場合、ユーザ機器（ＵＥ）１０４は、１７０８で、第１のモデム１０５ａを使用する第１のエアインターフェース１０６ａを介したデータ呼を確立することができる。第２のモデム１０５ｂの呼スロットル状態２１２が無線不具合に起因しない場合、ユーザ機器（ＵＥ）１０４は、１７１２で、第１のモデム１０５ａ上で、第２のモデム１０５ｂの呼スロットル状態２１２と、試行カウンタ２１３と、スロットリングタイマー２１４とを使用することができる。言い換えれば、ユーザ機器（ＵＥ）１０４は、第１のモデム１０５ａ上で、第２のモデム１０５ｂの呼スロットル状態２１２と、試行カウンタ２１３と、スロットリングタイマー２１４とを実装することができる。ユーザ機器（ＵＥ）１０４は次いで、１７１４で、（第１のモデム１０５ａ上でのスロットリングが終了するまで）データ呼を拒否してよい。
【０１０８】
図１８に、ユーザ機器（ＵＥ）１８０４内に含まれ得るいくつかの構成要素を示す。ユーザ機器（ＵＥ）１８０４は、アクセス端末、移動局、ワイヤレス通信デバイスなどであってもよい。ユーザ機器（ＵＥ）１８０４はプロセッサ１８０３を含む。プロセッサ１８０３は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどであり得る。プロセッサ１８０３は中央処理ユニット（ＣＰＵ）と呼ばれることがある。図１８のユーザ機器（ＵＥ）１８０４には単一のプロセッサ１８０３のみが示されているが、代替構成では、プロセッサ（たとえば、ＡＲＭとＤＳＰ）の組合せが使用され得る。
【０１０９】
ユーザ機器（ＵＥ）１８０４はメモリ１８０５も含む。メモリ１８０５は、電子情報を記憶することが可能な任意の電子構成要素であり得る。メモリ１８０５は、それらの組合せを含む、ランダムアクセスメモリ（ＲＡＭ）、リードオンリーメモリ（ＲＯＭ）、磁気ディスク記憶媒体、光学記憶媒体、ＲＡＭ内のフラッシュメモリデバイス、プロセッサとともに含まれたオンボードメモリ、ＥＰＲＯＭメモリ、ＥＥＰＲＯＭメモリ、レジスタなどとして、実施されてもよい。
【０１１０】
データ１８０７ａおよび命令１８０９ａは、メモリ１８０５に記憶され得る。命令１８０９ａは、本明細書で開示された方法を実装するために、プロセッサ１８０３によって実行可能であり得る。命令１８０９ａを実行することは、メモリ１８０５に記憶されたデータ１８０７ａの使用を含み得る。プロセッサ１８０３が命令１８０９ａを実行するとき、命令１８０９ｂの様々な部分がプロセッサ１８０３上にロードされてもよく、様々なデータ１８０７ｂがプロセッサ１８０３上にロードされてもよい。
【０１１１】
ユーザ機器（ＵＥ）１８０４はまた、ユーザ機器（ＵＥ）１８０４への信号の送信およびユーザ機器（ＵＥ）１８０４からの信号の受信を可能にするために、送信機１８１１と受信機１８１３とを含んでもよい。送信機１８１１と受信機１８１３とはトランシーバ１８１５と総称され得る。複数のアンテナ１８１７ａ〜ｂは、トランシーバ１８１５に電気的に結合され得る。ユーザ機器（ＵＥ）１８０４はまた、複数の送信機と、複数の受信機と、複数のトランシーバと、および／または、追加のアンテナとを含んでもよい（図示せず）。
【０１１２】
ユーザ機器（ＵＥ）１８０４は、デジタル信号プロセッサ（ＤＳＰ）１８２１を含んでもよい。ユーザ機器（ＵＥ）１８０４はまた、通信インターフェース１８２３を含んでもよい。通信インターフェース１８２３は、ユーザがユーザ機器（ＵＥ）１８０４と対話できるようにすることができる。
【０１１３】
ユーザ機器（ＵＥ）１８０４の様々な構成要素は、パワーバス、制御信号バス、ステータス信号バス、データバスなどを含むことができ得る１つまたは複数のバスによって一緒に結合され得る。明確にするために、様々なバスは、図１８において、バスシステム１８１９として例示される。
【０１１４】
本明細書に記載の技法は、直交多重化方式に基づく通信システムを含む様々な通信システムに使用できる。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためにインターリーブされたＦＤＭＡ（ＩＦＤＭＡ）、隣接するサブキャリアのブロック上で送信するために局所ＦＤＭＡ（ＬＦＤＭＡ）、または隣接するサブキャリアの複数のブロック上で送信するために拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。
【０１１５】
「判定」という用語は、多種多様なアクションを包含し、したがって、「判定」は、計算、算出、処理、導出、調査、探索（たとえば、テーブル、データベースまたは別のデータ構造での探索）、確認などを含むことができる。また、「判定」は、受信（たとえば、情報を受信すること）、アクセス（たとえば、メモリ中のデータにアクセスすること）などを含むことができる。また、「判定」は、解決、選択、選出、確立などを含むことができる。
【０１１６】
「に基づいて」という句は、別段に明示されていない限り、「のみに基づいて」を意味しない。言い換えれば、「に基づいて」という句は、「のみに基づいて」と「に少なくとも基づいて」の両方を表す。
【０１１７】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【０１１８】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子的に通信していると言われる。プロセッサに一体化されたメモリは、プロセッサと電子通信している。
【０１１９】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１２０】
本明細書で説明する機能は、ハードウェアによって実行されているソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスすることができる、任意の有形の記憶媒体を指す。限定ではなく例として、コンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイスもしくは他の磁気記憶デバイス、あるいは命令またはデータ構造の形態で所望のプログラムコードを担持または記憶するために使用され得、コンピュータによってアクセスできる任意の他の媒体を備え得る。本明細書で使用されるような、ディスク（disk）およびディスク（disc）には、コンパクトディスク（ＣＤ）と、レーザディスクと、光ディスクと、デジタル多用途ディスク（ＤＶＤ）と、フロッピー（登録商標）ディスクと、ブルーレイ（登録商標）ディスクとが含まれ、ただし、ディスク（disk）は通常、データを磁気的に再生するが、ディスク（disc）は、データをレーザにより光学的に再生する。
【０１２１】
本明細書で開示する方法は、説明した方法を達成するために１つまたは複数のステップまたはアクションを備える。本方法のステップおよび／またはアクションは、特許請求の範囲の範囲から逸脱することなく互いに入れ替えることができる。言い換えれば、説明する方法の適切な動作のためにステップまたはアクションの特定の順序が必要とされない限り、特定のステップおよび／またはアクションの順序および／または使用は、特許請求の範囲の範囲を逸脱することなく修正され得る。
【０１２２】
さらに、図１０、図１２、図１５および図１７によって示されたものなど、本明細書で説明する方法および技法を実行するためにモジュールおよび／または他の適切な手段は、デバイスによってダウンロードおよび／または他の方法で取得され得ることを諒解されたい。たとえば、デバイスは、本明細書で説明する方法を実行するために手段の転送を可能にするために、サーバに結合できる。代替的に、本明細書で説明する様々な方法は、記憶手段をデバイスに結合するかまたは与えるときにデバイスが様々な方法を獲得することができるように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えることができる。
【０１２３】
特許請求の範囲は、上記に示した正確な構成および構成要素に限定されないことを理解されたい。特許請求の範囲の範囲を逸脱することなく、本明細書で説明したシステム、方法、および装置の構成、動作および詳細において、様々な改変、変更および変形を行うことができる。
以下に、本願出願の当初の特許請求の範囲に記載された発明を付記する。
［Ｃ１］
モデム間調整のための方法であって、
第１のモデムによって提供される第１のエアインターフェースを使用する第１のネットワークカバレージエリア内のネットワークへの第１のデータ接続を確立することと、
第２のモデムによって提供される第２のエアインターフェースで第２のネットワークカバレージエリアを検出することと、
前記第１のモデムによって前記第２のモデムのデータ呼状態を判定することと、
前記第２のモデムの前記データ呼状態がデータ呼なしである場合、前記ネットワークへの前記第１のデータ接続を終了することと、
前記第２のモデムによって前記第１のモデムのデータ呼状態を判定することと、
前記第１のモデムの前記データ呼状態がデータ呼なしである場合、前記第２のモデムによって提供される前記第２のエアインターフェースを使用する前記ネットワークへの第２のデータ接続を開始することと
を備える方法。
［Ｃ２］
前記第１のモデムによってタイマーを始動することをさらに備え、前記タイマーが終了すると、前記第１のモデムの前記データ呼状態がデータ呼なしに変更される、
［Ｃ１］に記載の方法。
［Ｃ３］
前記第２のモデムによってタイマーを始動することをさらに備え、前記タイマーが終了すると、前記ネットワークへの前記第２のデータ接続が開始される、
［Ｃ１］に記載の方法。
［Ｃ４］
前記データ呼状態は、データ呼なし、データ呼確立中、データ呼確立済みまたはデータ呼切断中である、
［Ｃ１］に記載の方法。
［Ｃ５］
前記第１のモデムによって前記第２のモデムのデータ呼状態を判定することは、前記第２のモデムの前記データ呼状態を前記第１のモデムにシグナリングするためにモデム間通信を前記第２のモデムから受信することを備える、
［Ｃ１］に記載の方法。
［Ｃ６］
前記第２のモデムによって前記第１のモデムのデータ呼状態を判定することは、前記第１のモデムの前記データ呼状態を前記第２のモデムにシグナリングするためにモデム間通信を前記第１のモデムから受信することを備える、
［Ｃ１］に記載の方法。
［Ｃ７］
前記ネットワークへの前記第２のデータ接続は、前記第１のデータ接続よりも良好なデータサービスを提供する、
［Ｃ１］に記載の方法。
［Ｃ８］
前記方法は、前記第１のモデムと前記第２のモデムとを備えるユーザ機器によって実施される、
［Ｃ１］に記載の方法。
［Ｃ９］
モデム間調整のための方法であって、
第１のモデムを使用する第１のエアインターフェース上で、テザー端末とネットワークとの間のデータ接続を確立することと、
前記ネットワークからのメッセージの通知を第２のモデムを使用する第２のエアインターフェース上で受信することと、
前記第２のモデムによって前記第１のモデムのデータ呼状態を判定することと、
前記第１のモデムの前記データ呼状態がデータ呼なしである場合、前記第２のモデムを使用する前記テザー端末のための前記第２のエアインターフェースを介した前記メッセージを受信することと
を備える方法。
［Ｃ１０］
前記第１のモデムの前記データ呼状態が、データ呼立ち上げ中、データ呼確立済み、およびデータ呼切断中のうちの１つである場合、前記第２のモデムによって前記第１のモデムの呼タイプを判定することをさらに備える、
［Ｃ９］に記載の方法。
［Ｃ１１］
前記呼タイプがテザードである場合、前記第２のエアインターフェースを介した前記メッセージを拒否することをさらに備える、
［Ｃ１０］に記載の方法。
［Ｃ１２］
前記呼タイプが埋込みである場合、前記第２のモデムを使用する前記第２のエアインターフェースを介した前記メッセージを受信することをさらに備える、
［Ｃ１０］に記載の方法。
［Ｃ１３］
前記第２のモデムを使用する前記第２のエアインターフェースを介した前記メッセージを受信することは、Ｒｍリンク上でテザーデバイスとのテザード回線交換データ呼を確立することを備える、
［Ｃ９］に記載の方法。
［Ｃ１４］
前記データ呼状態は、データ呼なし、データ呼確立中、データ呼確立済みおよびデータ呼切断中のうちの１つである、
［Ｃ９］に記載の方法。
［Ｃ１５］
前記メッセージは、ページングメッセージである、
［Ｃ９］に記載の方法。
［Ｃ１６］
前記方法は、前記第１のモデムと前記第２のモデムとを備えるユーザ機器によって実施される、
［Ｃ９］に記載の方法。
［Ｃ１７］
呼スロットリング中のモデム間調整のための方法であって、
第１のモデムを使用する第１のエアインターフェース上でデータ呼を確立するためにアプリケーションからの要求を受信することと、
前記第１のモデムによって第２のモデムの呼スロットル状態を判定することと、
前記第２のモデムがスロットルでない場合、前記データ呼を、前記第１のモデムを使用する前記第１のエアインターフェースを介して確立することと
を備える方法。
［Ｃ１８］
前記第２のモデムがスロットルであり、
前記第２のモデムの前記呼スロットル状態が無線不具合に起因するかどうか判定することと、
前記第２のモデムの前記呼スロットル状態が無線不具合に起因する場合、前記第１のモデムを使用する前記第１のエアインターフェースを介した前記データ呼を確立することと
をさらに備える、［Ｃ１７］に記載の方法。
［Ｃ１９］
前記第２のモデムがスロットルであり、
前記第２のモデムの前記呼スロットル状態が無線不具合に起因しないと判定することと、
前記第２のモデムの前記呼スロットル状態と、試行カウンタと、スロットリングタイマーとを、前記第１のモデム上で使用することと、
前記データ呼を確立するために前記要求を拒否することと
をさらに備える、［Ｃ１７］に記載の方法。
［Ｃ２０］
前記方法は、前記第１のモデムと前記第２のモデムとを備えるユーザ機器によって実施される、
［Ｃ１７］に記載の方法。
［Ｃ２１］
モデム間調整のために構成されたワイヤレスデバイスであって、
プロセッサと、
前記プロセッサと電子通信するメモリと、
前記メモリに記憶された命令と
を備え、前記命令は、前記プロセッサによって、
第１のモデムによって提供される第１のエアインターフェースを使用する第１のネットワークカバレージエリア内のネットワークへの第１のデータ接続を確立することと、
第２のモデムによって提供される第２のエアインターフェースで第２のネットワークカバレージエリアを検出することと、
前記第１のモデムによって前記第２のモデムのデータ呼状態を判定することと、
前記第２のモデムの前記データ呼状態がデータ呼なしである場合、前記第１のモデムによる、前記ネットワークへの前記第１のデータ接続を終了することと、
前記第２のモデムによって前記第１のモデムのデータ呼状態を判定することと、
前記第１のモデムの前記データ呼状態がデータ呼なしであるとき、前記第２のモデムによって提供される前記第２のエアインターフェースを使用する前記ネットワークへの第２のデータ接続を開始することと
を実行可能である、ワイヤレスデバイス。
［Ｃ２２］
前記データ呼状態は、データ呼なし、データ呼確立中、データ呼確立済みおよびデータ呼切断中のうちの１つである、
［Ｃ２１］に記載のワイヤレスデバイス。
［Ｃ２３］
前記第１のモデムによって前記第２のモデムのデータ呼状態を判定することは、前記第２のモデムの前記データ呼状態を前記第１のモデムにシグナリングするためにモデム間通信を前記第２のモデムから受信することを備える、
［Ｃ２１］に記載のワイヤレスデバイス。
［Ｃ２４］
前記第２のモデムによって前記第１のモデムのデータ呼状態を判定することは、前記第１のモデムの前記データ呼状態を前記第２のモデムにシグナリングするためにモデム間通信を前記第１のモデムから受信することを備える、
［Ｃ２１］に記載のワイヤレスデバイス。
［Ｃ２５］
モデム間調整のために構成されたワイヤレスデバイスであって、
プロセッサと、
前記プロセッサと電子通信するメモリと、
前記メモリに記憶された命令と
を備え、前記命令は、前記プロセッサによって、
第１のモデムを使用する第１のエアインターフェース上で、テザー端末とネットワークとの間のデータ接続を確立することと、
第２のモデムを使用する第２のエアインターフェース上で、前記ネットワークからのメッセージの通知を受信することと、
前記第２のモデムによって前記第１のモデムのデータ呼状態を判定することと、
前記第１のモデムの前記データ呼状態がデータ呼なしであるとき、前記第２のモデムを使用する前記テザー端末向けの、前記第２のエアインターフェースを介した前記メッセージを受信することと
を実行可能である、ワイヤレスデバイス。
［Ｃ２６］
前記命令は、前記第１のモデムの前記データ呼状態がデータ呼なしではない場合、前記第２のモデムによって前記第１のモデムの呼タイプを判定するようにさらに実行可能である、
［Ｃ２５］に記載のワイヤレスデバイス。
［Ｃ２７］
前記命令は、前記呼タイプがテザードであるとき、前記第２のエアインターフェースを介した前記メッセージを拒否するようにさらに実行可能である、
［Ｃ２６］に記載のワイヤレスデバイス。
［Ｃ２８］
前記命令は、前記呼タイプが埋込みであるとき、前記第２のモデムを使用する前記第２のエアインターフェースを介した前記メッセージを受信するようにさらに実行可能である、
［Ｃ２６］に記載のワイヤレスデバイス。
［Ｃ２９］
前記第２のモデムを使用する前記第２のエアインターフェースを介した前記メッセージを受信することは、Ｒｍリンク上でテザーデバイスとのテザード回線交換データ呼を確立することを備える、
［Ｃ２５］に記載のワイヤレスデバイス。
［Ｃ３０］
前記データ呼状態は、データ呼なし、データ呼確立中、データ呼確立済みおよびデータ呼切断中のうちの１つである、
［Ｃ２５］に記載のワイヤレスデバイス。
［Ｃ３１］
前記メッセージがページングメッセージである、
［Ｃ２５］に記載のワイヤレスデバイス。
［Ｃ３２］
呼スロットリング中のモデム間調整のために構成されたワイヤレスデバイスであって、
プロセッサと、
前記プロセッサと電子通信するメモリと、
前記メモリに記憶された命令と
を備え、前記命令は、前記プロセッサによって、
第１のモデムを使用する第１のエアインターフェース上で、データ呼を確立するためにアプリケーションからの要求を受信することと、
前記第１のモデムによって第２のモデムの呼スロットル状態を判定することと、
前記第２のモデムの前記呼スロットル状態がスロットルでないとき、前記第１のモデムを使用する前記第１のエアインターフェースを介した前記データ呼を確立することと
を実行可能である、ワイヤレスデバイス。
［Ｃ３３］
前記第２のモデムの前記呼スロットル状態は、スロットルであり、前記命令は、
前記第２のモデムの前記呼スロットル状態が無線不具合に起因するかどうか判定することと、
前記第２のモデムの前記呼スロットル状態が無線不具合に起因するとき、前記第１のモデムを使用する前記第１のエアインターフェースを介した前記データ呼を確立することと
をさらに実行可能である、［Ｃ３２］に記載のワイヤレスデバイス。
［Ｃ３４］
前記第２のモデムの前記呼スロットル状態は、スロットルであり、前記命令は、
前記第２のモデムの前記呼スロットル状態が無線不具合に起因しないと判定することと、
前記第２のモデムの前記呼スロットル状態と、試行カウンタと、スロットリングタイマーとを、前記第１のモデム上で使用することと、
前記データ呼を確立するために前記要求を拒否することと
をさらに実行可能である、［Ｃ３２］に記載のワイヤレスデバイス。
［Ｃ３５］
モデム間調整のために構成されたワイヤレスデバイスであって、
第１のモデムによって提供される第１のエアインターフェースを使用する第１のネットワークカバレージエリア内のネットワークへの第１のデータ接続を確立するための手段と、
第２のモデムによって提供される第２のエアインターフェースで第２のネットワークカバレージエリアを検出するための手段と、
前記第１のモデムによって前記第２のモデムのデータ呼状態を判定するための手段と、
前記第２のモデムの前記データ呼状態がデータ呼なしであるとき、前記第１のモデムによる、前記ネットワークへの前記第１のデータ接続を終了するための手段と、
前記第２のモデムによって前記第１のモデムのデータ呼状態を判定するための手段と、
前記第１のモデムの前記データ呼状態がデータ呼なしであるとき、前記第２のモデムによって提供される前記第２のエアインターフェースを使用する前記ネットワークへの第２のデータ接続を開始するための手段と
を備える、ワイヤレスデバイス。
［Ｃ３６］
モデム間調整のためのコンピュータプログラム製品であって、前記コンピュータプログラム製品が、その上に命令を有する非一時的コンピュータ可読媒体を備え、前記命令は、
ワイヤレスデバイスに、第１のモデムによって提供される第１のエアインターフェースを使用する第１のネットワークカバレージエリア内のネットワークへの第１のデータ接続を確立させるためのコードと、
前記ワイヤレスデバイスに、第２のモデムによって提供される第２のエアインターフェースで第２のネットワークカバレージエリアを検出させるためのコードと、
前記ワイヤレスデバイスに、前記第１のモデムによって前記第２のモデムのデータ呼状態を判定させるためのコードと、
前記ワイヤレスデバイスに、前記第２のモデムの前記データ呼状態がデータ呼なしであるとき、前記第１のモデムによる前記ネットワークへの前記第１のデータ接続を終了させるためのコードと、
前記ワイヤレスデバイスに、前記第２のモデムによって前記第１のモデムのデータ呼状態を判定させるためのコードと、
前記ワイヤレスデバイスに、前記第１のモデムの前記データ呼状態がデータ呼なしであるとき、前記第２のモデムによって提供される前記第２のエアインターフェースを使用する前記ネットワークへの第２のデータ接続を開始させるためのコードと
を備える、コンピュータプログラム製品。
［Ｃ３７］
モデム間調整のために構成されたワイヤレスデバイスであって、
第１のモデムを使用する第１のエアインターフェース上で、テザー端末とネットワークとの間のデータ接続を確立するための手段と、
前記ネットワークからのメッセージの通知を、第２のモデムを使用する第２のエアインターフェース上で受信するための手段と、
前記第２のモデムによって前記第１のモデムのデータ呼状態を判定するための手段と、
前記第１のモデムの前記データ呼状態がデータ呼なしであるとき、前記第２のモデムを使用する前記テザー端末向けの、前記第２のエアインターフェースを介した前記メッセージを受信するための手段と
を備える、ワイヤレスデバイス。
［Ｃ３８］
モデム間調整のためのコンピュータプログラム製品であって、前記コンピュータプログラム製品が、その上に命令を有する非一時的コンピュータ可読媒体を備え、前記命令は、
ワイヤレスデバイスに、第１のモデムを使用する第１のエアインターフェース上で、テザー端末とネットワークとの間のデータ接続を確立させるためのコードと、
前記ワイヤレスデバイスに、第２のモデムを使用する第２のエアインターフェース上で、前記ネットワークからのメッセージの通知を受信させるためのコードと、
前記ワイヤレスデバイスに、前記第２のモデムによって前記第１のモデムのデータ呼状態を判定させるためのコードと、
前記ワイヤレスデバイスに、前記第１のモデムの前記データ呼状態がデータ呼なしであるとき、前記第２のモデムを使用する前記テザー端末向けの、前記第２のエアインターフェースを介した前記メッセージを受信させるためのコードと
を備える、コンピュータプログラム製品。
［Ｃ３９］
呼スロットリング中のモデム間調整のために構成されたワイヤレスデバイスであって、
第１のモデムを使用する第１のエアインターフェース上でデータ呼を確立するためにアプリケーションからの要求を受信するための手段と、
前記第１のモデムによって第２のモデムの呼スロットル状態を判定するための手段と、
前記第２のモデムの前記呼スロットル状態がスロットルでないとき、前記第１のモデムを使用する前記第１のエアインターフェースを介した前記データ呼を確立するための手段と
を備える、ワイヤレスデバイス。
［Ｃ４０］
呼スロットリング中のモデム間調整のためのコンピュータプログラム製品であって、前記コンピュータプログラム製品が、その上に命令を有する非一時的コンピュータ可読媒体を備え、前記命令は、
ワイヤレスデバイスに、第１のモデムを使用する第１のエアインターフェース上で、データ呼を確立するために、アプリケーションからの要求を受信させるためのコードと、
前記ワイヤレスデバイスに、前記第１のモデムによって第２のモデムの呼スロットル状態を判定させるためのコードと、
前記ワイヤレスデバイスに、前記第２のモデムの前記呼スロットル状態がスロットルでないとき、前記第１のモデムを使用する前記第１のエアインターフェースを介した前記データ呼を確立させるためのコードと
を備える、コンピュータプログラム製品。
【図１】
0005583852.tif 000002
【図２】
0005583852.tif 000003
【図３】
0005583852.tif 000004
【図４】
0005583852.tif 000005
【図５Ａ】
0005583852.tif 000006
【図５Ｂ】
0005583852.tif 000007
【図５Ｃ】
0005583852.tif 000008
【図５Ｄ】
0005583852.tif 000009
【図５Ｅ】
0005583852.tif 000010
【図５Ｆ】
0005583852.tif 000011
【図６】
0005583852.tif 000012
【図７】
0005583852.tif 000013
【図８】
0005583852.tif 000014
【図９】
0005583852.tif 000015
【図１０】
0005583852.tif 000016
【図１１】
0005583852.tif 000017
【図１２】
0005583852.tif 000018
【図１３】
0005583852.tif 000019
【図１４】
0005583852.tif 000020
【図１５】
0005583852.tif 000021
【図１６】
0005583852.tif 000022
【図１７】
0005583852.tif 000023
【図１８】
0005583852.tif 000024